(57)【特許請求の範囲】
【請求項１】
検体を処理する複数の検体処理ユニットと、
前記複数の検体処理ユニットのそれぞれと通信可能に接続されたデータ処理ユニットと、
を備え、
前記データ処理ユニットは、
表示部、
入力部、及び、
前記複数の検体処理ユニットに関する情報の表示に共用される共用領域と、前記複数の検体処理ユニットの操作を行うために各検体処理ユニットに対して個別に設けられた複数の操作部とを有する画面を前記表示部に表示させ、ユーザによる前記入力部を用いた各操作部の操作に応じて、対応する検体処理ユニットを制御する制御部、
を具備し、
前記制御部は、対応する検体処理ユニットの操作を行うための操作画面を表示するためのオブジェクトを前記複数の操作部のそれぞれに表示させ、前記入力部を介して一の操作部に設けられたオブジェクトを選択する操作を受け付けたときに、前記一の操作部に対応する検体処理ユニットの操作を行うための操作画面を、前記共用領域の一部に重なるように、前記表示部に表示させるように構成されている、
検体処理装置。
【請求項２】
前記制御部は、前記複数の操作部とは独立して、前記共用領域の表示を切替可能に構成されている、
請求項１に記載の検体処理装置。
【請求項３】
前記制御部は、前記共用領域に、一の検体処理ユニットによって処理された一の検体に関する情報と、他の検体処理ユニットによって処理された他の検体に関する情報とを同時に表示可能である、
請求項１又は２に記載の検体処理装置。
【請求項４】
前記制御部は、前記共用領域に、各検体処理ユニットによって処理された検体の識別情報と処理日時とを一覧表示可能である、
請求項３に記載の検体処理装置。
【請求項５】
前記制御部は、前記共用領域に、一の検体処理ユニットによって処理された一の検体に関する情報を表示し、当該一の検体に関する情報から、他の検体処理ユニットによって処理された他の検体に関する情報へ前記共用領域の表示を切替可能である、
請求項１又は２に記載の検体処理装置。
【請求項６】
前記制御部は、前記一の検体に関する情報として、前記一の検体の処理結果を示す情報を前記共用領域に表示し、前記他の検体に関する情報として、前記他の検体の処理結果を示す情報を前記共用領域に表示可能である、
請求項５に記載の検体処理装置。
【請求項７】
前記制御部は、前記共用領域に、前記複数の検体処理ユニットに共用される画面を呼び出すための複数のオブジェクトを同時に表示可能である、
請求項１又は２に記載の検体処理装置。
【請求項８】
前記制御部は、前記入力部を介して前記オブジェクトを選択する操作を受け付けたときに、前記共用領域内の前記オブジェクトに隣接した位置に前記操作画面を表示させるように構成されている、
請求項１乃至７の何れかに記載の検体処理装置。
【請求項９】
前記制御部は、前記入力部を介して前記オブジェクトを選択する操作を受け付けたときに、前記共用領域よりも面積が小さい前記操作画面を表示させるように構成されている、
請求項８に記載の検体処理装置。
【請求項１０】
前記制御部は、前記操作画面として、検体処理ユニットに生じたエラーの対処に関するエラー対処画面、検体処理ユニットの動作モードを設定するための動作モード設定画面、及び検体処理ユニットの検体処理動作の開始に関する処理開始画面の少なくとも１つを前記表示部に表示可能に構成されている、
請求項１乃至９の何れかに記載の検体処理装置。
【請求項１１】
前記制御部は、２以上の操作部に対応する２以上の操作画面を同時に前記表示部に表示させるように構成されている、
請求項１乃至１０の何れかに記載の検体処理装置。
【請求項１２】
前記制御部は、前記２以上の操作画面を、互いに重なり合わないように前記表示部に表示させるように構成されている、
請求項１１に記載の検体処理装置。
【請求項１３】
前記制御部は、複数の操作画面を非表示にするための選択可能なオブジェクトを前記画面にさらに表示させ、前記入力部を介して前記オブジェクトを選択する操作を受け付けたときに、表示されている複数の操作画面を非表示にするように構成されている、
請求項１１又は１２に記載の検体処理装置。
【請求項１４】
前記制御部は、画面を切り替えるための選択可能な複数のオブジェクトが表示されるツールバー領域を前記画面の上端に、前記複数の操作部を含む操作領域を前記画面の下端に、前記共用領域を前記ツールバー領域と前記操作領域の間に表示させるように構成されている、
請求項１乃至１３の何れかに記載の検体処理装置。
【請求項１５】
前記制御部は、各操作部に、対応する検体処理ユニットの状態を示す状態情報を表示させるように構成されている、
請求項１乃至１４の何れかに記載の検体処理装置。
【請求項１６】
前記制御部は、前記状態情報として、検体処理ユニットにエラーが発生していることを示すエラー情報、検体処理ユニットにおいて検体処理に用いられる試薬の残量を示す試薬残量情報、検体処理ユニットにおいて処理される検体を特定する検体特定情報、検体処理ユニットにおいて設定されている動作モードを示す動作モード情報、及び検体処理ユニットにおいて検体の処理が行われる処理項目を示す処理項目情報の少なくとも１つを各操作部に表示させるように構成されている、
請求項１５に記載の検体処理装置。
【請求項１７】
前記複数の検体処理ユニットのそれぞれは、複数の測定項目について検体を測定可能に構成されており、各検体処理ユニットの測定項目の少なくとも一部は互いに共通している
請求項１乃至１６の何れかに記載の検体処理装置。
【請求項１８】
前記複数の検体処理ユニットのそれぞれに検体を搬送するために、前記複数の検体処理ユニットのそれぞれに対応して設置され、互いに接続される複数の搬送ユニットをさらに備え、
前記制御部は、前記状態情報として、前記搬送ユニットにエラーが発生していることを示す搬送エラー情報を、対応する前記操作部に表示させるように構成されている、
請求項１５又は１６に記載の検体処理装置。
【請求項１９】
検体を処理する複数の検体処理ユニットのそれぞれと通信可能に接続されており、表示部及び入力部を備えるコンピュータに、前記複数の検体処理ユニットの検体処理に関する画面の表示処理を実行させるためのコンピュータプログラムであって、
前記複数の検体処理ユニットに関する情報の表示に共用される共用領域と、前記複数の検体処理ユニットの操作を行うために各検体処理ユニットに対して個別に設けられた複数の操作部とを有する画面を前記表示部に表示させるステップ、及び、
ユーザによる各操作部の操作に応じて、対応する検体処理ユニットを制御するステップを、
前記コンピュータに実行させ、
前記表示させるステップは、対応する検体処理ユニットの操作を行うための操作画面を表示するためのオブジェクトを前記複数の操作部のそれぞれに表示させるステップを含み、
前記制御するステップは、前記入力部を介して一の操作部に設けられたオブジェクトを選択する操作を受け付けるステップ、及び、前記入力部を介して一の操作部に設けられたオブジェクトを選択する操作を受け付けたときに、前記一の操作部に対応する検体処理ユニットの操作を行うための操作画面を、前記共用領域の一部に重なるように、前記表示部に表示させるステップを含む、
コンピュータプログラム。
【発明の詳細な説明】
【技術分野】
【０００１】
本発明は、検体の測定、塗抹標本の作製等の処理を行う検体処理装置及びコンピュータプログラムに関する。
【背景技術】
【０００２】
複数の検体処理ユニットと、それらに接続された表示装置とを備える検体処理装置が知られている（例えば、特許文献１参照）。
【０００３】
特許文献１には、２つの分析機と、これらの分析機の操作画面を表示するための表示装置とを備えた自動分析装置が開示されている。この自動分析装置では、測定データの一覧・集計画面等を２つの分析機の操作画面として、また２つの分析機に共用される画面として表示装置に表示する。また、この自動分析装置では、各分析機のメンテナンス用画面を表示する際には、表示装置のウインドウ枠を２つに分割し、一方の表示領域に一方の分析機のメンテナンス用画面を表示し、他方の表示領域には他方の分析機のメンテナンス用画面を表示する。このメンテナンス用画面には、例えば光度計チェックボタンが表示され、ユーザがこの光度形チェックボタンを選択することにより、分析機のメンテナンスとして光度計チェックを実行することが可能である。
【先行技術文献】
【特許文献】
【０００４】
【特許文献１】特開平１０−３８８８９号公報
【発明の概要】
【発明が解決しようとする課題】
【０００５】
しかしながら、上記特許文献１に記載の自動分析装置では、２つの分析機に共用される一覧・集計画面等を表示装置に表示させている間は、各分析機に固有のメンテナンス用画面を表示させることができない。このため、ユーザは、一覧・集計画面等が表示されている場合に各分析機のメンテナンスを実行する際には、一覧・集計画面等の表示を消した後にメンテナンス用画面を表示させる必要があり、手間が煩雑になるという問題がある。
【０００６】
本発明は斯かる事情に鑑みてなされたものであり、その主たる目的は、従来に比してユーザが簡便に各検体処理ユニットに関する操作を行うことが可能な検体処理装置及びコンピュータプログラムを提供することにある。
【課題を解決するための手段】
【０００７】
上述した課題を解決するために、本発明の一の態様の検体処理装置は、検体を処理する複数の検体処理ユニットと、前記複数の検体処理ユニットのそれぞれと通信可能に接続されたデータ処理ユニットと、を備え、前記データ処理ユニットは、表示部、入力部、及び、前記複数の検体処理ユニットに関する情報の表示に共用される共用領域と、前記複数の検体処理ユニットの操作を行うために各検体処理ユニットに対して個別に設けられた複数の操作部とを有する画面を前記表示部に表示させ、ユーザによる前記入力部を用いた各操作部の操作に応じて、対応する検体処理ユニットを制御する制御部、を具備し、前記制御部は、対応する検体処理ユニットの操作を行うための操作画面を表示するためのオブジェクトを前記複数の操作部のそれぞれに表示させ、前記入力部を介して一の操作部に設けられたオブジェクトを選択する操作を受け付けたときに、前記一の操作部に対応する検体処理ユニットの操作を行うための操作画面を、前記共用領域の一部に重なるように、前記表示部に表示させるように構成されている。
【０００８】
この態様において、前記制御部は、前記複数の操作部とは独立して、前記共用領域の表示を切替可能に構成されていてもよい。
【０００９】
また、上記態様において、前記制御部は、前記共用領域に、一の検体処理ユニットによって処理された一の検体に関する情報と、他の検体処理ユニットによって処理された他の検体に関する情報とを同時に表示可能であるように構成されていてもよい。
【００１０】
また、上記態様において、前記制御部は、前記共用領域に、各検体処理ユニットによって処理された検体の識別情報と処理日時とを一覧表示可能であるように構成されていてもよい。
【００１１】
また、上記態様において、前記制御部は、前記共用領域に、一の検体処理ユニットによって処理された一の検体に関する情報を表示し、当該一の検体に関する情報から、他の検体処理ユニットによって処理された他の検体に関する情報へ前記共用領域の表示を切替可能であるように構成されていてもよい。
【００１２】
また、上記態様において、前記制御部は、前記一の検体に関する情報として、前記一の検体の処理結果を示す情報を前記共用領域に表示し、前記他の検体に関する情報として、前記他の検体の処理結果を示す情報を前記共用領域に表示可能であるように構成されていてもよい。
【００１３】
また、上記態様において、前記制御部は、前記共用領域に、前記複数の検体処理ユニットに共用される画面を呼び出すための複数のオブジェクトを同時に表示可能であるように構成されていてもよい。
【００１６】
また、上記態様において、前記制御部は、前記入力部を介して前記オブジェクトを選択する操作を受け付けたときに、前記共用領域内の前記オブジェクトに隣接した位置に前記操作画面を表示させるように構成されていてもよい。
【００１７】
また、上記態様において、前記制御部は、前記入力部を介して前記オブジェクトを選択する操作を受け付けたときに、前記共用領域よりも面積が小さい前記操作画面を表示させるように構成されていてもよい。
【００１８】
また、上記態様において、前記制御部は、前記操作画面として、検体処理ユニットに生じたエラーの対処に関するエラー対処画面、検体処理ユニットの動作モードを設定するための動作モード設定画面、及び検体処理ユニットの検体処理動作の開始に関する処理開始画面の少なくとも１つを前記表示部に表示可能に構成されていてもよい。
【００１９】
また、上記態様において、前記制御部は、２以上の操作部に対応する２以上の操作画面を同時に前記表示部に表示させるように構成されていてもよい。
また、上記態様において、前記制御部は、前記２以上の操作画面を、互いに重なり合わないように前記表示部に表示させるように構成されていてもよい。
【００２０】
また、上記態様において、前記制御部は、複数の操作画面を非表示にするための選択可能なオブジェクトを前記画面にさらに表示させ、前記入力部を介して前記オブジェクトを選択する操作を受け付けたときに、表示されている複数の操作画面を非表示にするように構成されていてもよい。
【００２１】
また、上記態様において、前記制御部は、画面を切り替えるための選択可能な複数のオブジェクトが表示されるツールバー領域を前記画面の上端に、前記複数の操作部を含む操作領域を前記画面の下端に、前記共用領域を前記ツールバー領域と前記操作領域の間に表示させるように構成されていてもよい。
【００２２】
また、上記態様において、前記制御部は、各操作部に、対応する検体処理ユニットの状態を示す状態情報を表示させるように構成されていてもよい。
【００２３】
また、上記態様において、前記制御部は、前記状態情報として、検体処理ユニットにエラーが発生していることを示すエラー情報、検体処理ユニットにおいて検体処理に用いられる試薬の残量を示す試薬残量情報、検体処理ユニットにおいて処理される検体を特定する検体特定情報、検体処理ユニットにおいて設定されている動作モードを示す動作モード情報、及び検体処理ユニットにおいて検体の処理が行われる処理項目を示す処理項目情報の少なくとも１つを各操作部に表示させるように構成されていてもよい。
【００２４】
また、上記態様において、前記複数の検体処理ユニットのそれぞれは、複数の測定項目について検体を測定可能に構成されており、各検体処理ユニットの測定項目の少なくとも一部は互いに共通していてもよい。
また、上記態様において、前記検体処理装置は、前記複数の検体処理ユニットのそれぞれに検体を搬送するために、前記複数の検体処理ユニットのそれぞれに対応して設置され、互いに接続される複数の搬送ユニットをさらに備え、前記制御部は、前記状態情報として、前記搬送ユニットにエラーが発生していることを示す搬送エラー情報を、対応する前記操作部に表示させるように構成されていてもよい。
【００２５】
また、本発明の一の態様のコンピュータプログラムは、検体を処理する複数の検体処理ユニットのそれぞれと通信可能に接続されており、表示部及び入力部を備えるコンピュータに、前記複数の検体処理ユニットの検体処理に関する画面の表示処理を実行させるためのコンピュータプログラムであって、前記複数の検体処理ユニットに関する情報の表示に共用される共用領域と、前記複数の検体処理ユニットの操作を行うために各検体処理ユニットに対して個別に設けられた複数の操作部とを有する画面を前記表示部に表示させるステップ、及び、ユーザによる各操作部の操作に応じて、対応する検体処理ユニットを制御するステップを、前記コンピュータに実行させ、前記表示させるステップは、対応する検体処理ユニットの操作を行うための操作画面を表示するためのオブジェクトを前記複数の操作部のそれぞれに表示させるステップを含み、前記制御するステップは、前記入力部を介して一の操作部に設けられたオブジェクトを選択する操作を受け付けるステップ、及び、前記入力部を介して一の操作部に設けられたオブジェクトを選択する操作を受け付けたときに、前記一の操作部に対応する検体処理ユニットの操作を行うための操作画面を、前記共用領域の一部に重なるように、前記表示部に表示させるステップを含む。
【発明の効果】
【００２６】
本発明に係る検体処理装置及びコンピュータプログラムによれば、従来に比してユーザが簡便に各検体処理ユニットに関する操作を行うことが可能となる。
【図面の簡単な説明】
【００２７】
【図１】実施の形態に係る検体処理システムの全体構成を示す概略平面図。
【図２】実施の形態に係る血球分析装置が備える測定ユニットの構成を示すブロック図。
【図３】実施の形態に係る血球分析装置が備える情報処理ユニットの構成を示すブロック図。
【図４】情報処理ユニットのメニュー画面を示す図。
【図５】図４に示す測定ユニット操作部の構成を示す拡大図。
【図６】情報処理ユニットの画面表示切替動作の手順を示すフローチャート。
【図７】情報処理ユニットの測定結果リスト画面を示す図。
【図８】メニューが表示された場合の測定結果リスト画面を示す図。
【図９】情報処理ユニットの測定結果詳細画面を示す図。
【図１０】情報処理ユニットの測定操作メニュー表示動作の手順を示すフローチャート。
【図１１】操作部メニュー画面を示す図。
【図１２】マニュアル測定画面を示す図。
【図１３】試薬交換画面を示す図。
【図１４】エラー対処画面及び測定モード設定画面が表示されたメニュー画面を示す図。
【図１５】他の実施の形態に係る血球分析装置の構成を示す斜視図。
【発明を実施するための形態】
【００２８】
以下、本発明の好ましい実施の形態を、図面を参照しながら説明する。
【００２９】
［検体処理システムの構成］
図１は、本実施の形態に係る検体処理システムの全体構成を示す概略平面図である。図１に示すように、検体処理システム１は、検体発送装置２と、検体搬送装置３と、血球分析装置５と、塗抹標本作製装置６と、検体回収装置７と、システム制御装置８とを備えている。また、本実施の形態に係る検体処理システム１は、通信ネットワークを介して検査情報管理装置９と通信可能に接続されている。
【００３０】
検体搬送装置３は、検体搬送ユニット３ａ，３ｂ，３ｃ及び４を有し、これらの検体搬送ユニット３ａ，３ｂ，３ｃ及び４は図中横方向に延びるように互いに直列的に接続されている。血球分析装置５は、３つの測定ユニット５１，５２，５３と情報処理ユニット５４を具備しており、検体搬送ユニット３ａの後方には測定ユニット５１が、検体搬送ユニット３ｂの後方には測定ユニット５２が、検体搬送ユニット３ｃの後方には測定ユニット５３が配置されている。また、検体搬送ユニット４の後方には塗抹標本作製装置６が配置されている。
【００３１】
この検体処理システム１においては、複数の検体容器が収納された検体ラックがオペレータによって検体発送装置２のラック収容部２０１にセットされる。検体容器の側面には、検体ＩＤを示すバーコードラベルが印刷され、検体ラックの側面には、ラックＩＤを示すバーコードラベルが貼付されている。ラック収容部２０１にセットされた検体ラックは、バーコードリーダ２２ｂおよび２２２ａを経由して、ラック送出位置２２３から検体搬送装置３の搬送ライン３Ｆに搬出される。なお、バーコードリーダ２２ｂおよび２２２ａによって読み取られた検体ＩＤおよびラックＩＤに基づいて、当該検体ラックの搬送先となる測定ユニットが決定される。
【００３２】
搬送ライン３Ｆに搬出された検体ラックは図中左方向へ搬送される。検体搬送装置３には、搬送ライン３Ｆと測定ライン３Ｍとが設けられており、搬送ライン３Ｆと測定ライン３Ｍとの間で検体ラックの受け渡しを行うことが可能である。検体発送装置２から発送された検体ラックは、搬送ライン３Ｆおよび測定ライン３Ｍによって搬送先の測定ユニットへ搬送される。
【００３３】
検体が測定ユニット５１〜５３又は塗抹標本作製装置６に供給された後、検体ラックは搬送ライン３Ｆにより左方向へ搬送されて、検体回収装置７に回収される。
【００３４】
＜血球分析装置５の構成＞
血球分析装置５は、光学式フローサイトメトリー方式の多項目血球分析装置であり、血液検体に含まれる血球に関して側方散乱光強度、蛍光強度等を取得し、これらに基づいて検体中に含まれる血球を分類し、且つ、種類毎に血球数を計数する。また血球分析装置５は、このように分類された血球が種類毎に色分けされたスキャッタグラムを作成し、これを表示する。かかる血球分析装置５は、血液検体を測定する測定ユニット５１，５２，５３と、コンピュータから構成され、測定ユニット５１，５２，５３から出力された測定データを処理し、血液検体の分析結果を表示する情報処理ユニット５４とを備えている。
【００３５】
血球分析装置５は、図１に示すように、３つの測定ユニット５１，５２，５３と、１つの情報処理ユニット５４とを備えている。情報処理ユニット５４は、３つの測定ユニット５１，５２，５３と通信可能に接続されており、これらの３つの測定ユニット５１，５２，５３の動作をそれぞれ制御可能である。また、情報処理ユニット５４は、３つの測定ユニット５１，５２，５３の前側にそれぞれ配置された３つの検体搬送ユニット３ａ，３ｂ，３ｃとも通信可能に接続されている。
【００３６】
図２は、測定ユニット５１の構成を示すブロック図である。図２に示すように、測定ユニット５１は、検体である血液を検体容器（採血管）Ｔから吸引する検体吸引部５１１と、検体吸引部５１１により吸引した血液から測定に用いられる測定試料を調製する試料調製部５１２と、試料調製部５１２により調製された測定試料から血球を検出する検出部５１３とを有している。また、測定ユニット５１は、検体搬送ユニット３ａの測定ライン３Ｍによって搬送された検体ラックに収容された検体容器を測定ユニット５１の内部に取り込むための取込口（図示せず）と、検体ラックから検体容器を測定ユニット５１の内部に取り込み、検体吸引部５１１による吸引位置まで検体容器を搬送する検体容器搬送部５１５と、測定ユニット５１に取り込まれた検体容器のバーコードから検体ＩＤを読み取るバーコードリーダ５１６とをさらに有している。
【００３７】
試料調製部５１２は、複数の混合チャンバを備えている。検体吸引部５１１は、シリンジポンプ（図示せず）によって検体容器から所定量の全血検体を吸引し、前記シリンジポンプによって、それぞれのチャンバへ所定量の全血検体を分配供給する。試料調製部５１２には、希釈液、ＮＲＢＣ（網状赤血球）測定用の染色試薬及び溶血剤、ＤＩＦＦ（白血球分類）測定用の染色試薬及び溶血剤等の各種試薬を収容した複数の試薬容器が接続されており、これらの試薬容器から試薬を混合チャンバへ供給して、混合チャンバ内で検体及び試薬を混合撹拌することにより、検体の測定に供される測定試料を調製するようになっている。
【００３８】
検出部５１３は、ＲＢＣ（赤血球）検出及びＰＬＴ（血小板）検出をシースフローＤＣ検出法により行うことが可能である。また、検出部５１３は、ＨＧＢ（ヘモグロビン）検出をＳＬＳ−ヘモグロビン法により行うことが可能であり、ＷＢＣ（白血球）の検出を、半導体レーザを使用したフローサイトメトリー法により行うことが可能であるように構成されている。ＲＢＣ，ＰＬＴ，ＨＧＢ，ＷＢＣの各測定項目は、ディスクリート項目“ＣＢＣ”に含まれている。つまり、測定オーダによってＣＢＣの測定が指示された場合には、ＲＢＣ，ＰＬＴ，ＨＧＢ，ＷＢＣの各項目について検体の測定が行われる。なお、ディスクリート項目とは、オペレータが複数の測定項目の測定をまとめて装置に指示する際に選択される項目である。
【００３９】
また、検出部５１３は、半導体レーザを使用したフローサイトメトリー法により、白血球分類（ディスクリート項目“ＤＩＦＦ”）の測定を行うことができる。白血球分類測定では、白血球分類用の試薬が検体と混合され、この混合液である試料がフローサイトメータに供給され、試料中に含まれる血球に光が照射されたときに生じる光学情報（側方散乱光、前方散乱光、蛍光）が検出される。この光学情報が情報処理ユニット５４に出力され、情報処理ユニットがデータ処理を行って検体中の白血球を５つのサブクラス（ＮＥＵＴ（好中球）、ＬＹＭＰＨ（リンパ球）、ＥＯ（好酸球）、ＢＡＳＯ（好塩基球）、及びＭＯＮＯ（単球））に分類し、各サブクラスの血球数を計数する。つまり、測定オーダによってＤＩＦＦの測定が指示された場合には、ＮＥＵＴ、ＬＹＭＰＨ、ＥＯ、ＢＡＳＯ、及びＭＯＮＯの各項目について検体の測定が行われる。
【００４０】
測定ユニット５２は、測定ユニット５１と同様の構成であり、検体吸引部、試料調製部、検出部、及び検体容器搬送部を備えている。
【００４１】
測定ユニット５３は、上述したＣＢＣ、ＤＩＦＦ以外に、半導体レーザを使用したフローサイトメトリー法により、ＲＥＴ（網状赤血球）の測定が可能である。かかる測定ユニット５３は、ＲＥＴの測定が可能である他は、測定ユニット５１と同様の構成であり、検体吸引部、試料調製部、検出部、及び検体容器搬送部を備えている。
【００４２】
上記のような測定ユニット５１，５２，５３は、検体搬送装置３によって自動的に搬送された検体ラックから検体容器を取り込み、この検体容器に収容されている検体を測定するサンプラ測定モードと、ユーザが手作業で検体容器搬送部５１５に載置した検体容器を取り込み、この検体容器に収容されている検体を測定するマニュアル測定モードとのいずれかにより動作可能である。かかる測定モードの設定は、測定ユニット５１，５２，５３のそれぞれに設けられたモード設定スイッチ（図示せず）をユーザが操作することにより行われる。
【００４３】
図３は、本実施の形態に係る情報処理ユニット５４の構成を示すブロック図である。情報処理ユニット５４は、コンピュータ５４ａによって実現される。図３に示すように、コンピュータ５４ａは、本体５４１と、画像表示部５４２と、入力部５４３とを備えている。本体５４１は、ＣＰＵ５４１ａ、ＲＯＭ５４１ｂ、ＲＡＭ５４１ｃ、ハードディスク５４１ｄ、読出装置５４１ｅ、入出力インタフェース５４１ｆ、通信インタフェース５４１ｇ、及び画像出力インタフェース５４１ｈを備えており、ＣＰＵ５４１ａ、ＲＯＭ５４１ｂ、ＲＡＭ５４１ｃ、ハードディスク５４１ｄ、読出装置５４１ｅ、入出力インタフェース５４１ｆ、通信インタフェース５４１ｇ、及び画像出力インタフェース５４１ｈは、バス５４１ｊによって接続されている。
【００４４】
読出装置５４１ｅは、コンピュータを情報処理ユニット５４として機能させるためのコンピュータプログラム５４４ａを可搬型記録媒体５４４から読み出し、当該コンピュータプログラム５４４ａをハードディスク５４１ｄにインストールすることが可能である。
【００４５】
入出力インタフェース５４１ｆは、ＵＳＢ、ＩＥＥＥ１３９４等のインタフェースであり、測定ユニット５１，５２，５３とデータ通信可能に接続されている。
【００４６】
通信インタフェース５４１ｇは、Ethernet（登録商標）インタフェースであり、検体搬送装置３、システム制御装置８、及び検査情報管理装置９のそれぞれと通信可能に接続されている。
【００４７】
かかる情報処理ユニット５４は、測定ユニット５１，５２，５３を制御して検体の測定を実行させ、測定ユニット５１，５２，５３から出力された測定データを受信し、測定データを解析処理することにより検体の分析結果を生成する。
【００４８】
＜塗抹標本作製装置６の構成＞
塗抹標本作製装置６は、血液検体を吸引し、スライドガラス上に滴下して、その血液検体をスライドガラス上で薄く引き延ばし、乾燥させた上で、当該スライドガラスに染色液を供給してスライドガラス上の血液を染色することにより、塗抹標本を作製する。
【００４９】
＜システム制御装置８の構成＞
システム制御装置８は、コンピュータにより構成されており、検体処理システム１の全体を制御する。このシステム制御装置８は、検体発送装置２からラックＩＤ及び検体ＩＤを受け付け、そのラックＩＤ及び検体ＩＤにより検査情報管理装置９へ測定オーダの問い合わせを行う。また、システム制御装置８は、検体ラックの搬送先を決定し、搬送先を示す搬送コマンドを検体搬送装置３へ送信する。
【００５０】
システム制御装置８は、コンピュータによって実現される。当該コンピュータは、本体と、画像表示部と、入力部とを備えている（図示せず）。本体は、ＣＰＵ、ＲＯＭ、ＲＡＭ、ハードディスク、入出力インタフェース、通信インタフェース等を備える。なお、システム制御装置８を構成するコンピュータの構成は、情報処理ユニット５４を構成するコンピュータ５４ａの構成と同様であるので、その説明を省略する。
【００５１】
＜検査情報管理装置９の構成＞
検査情報管理装置９は、施設内における検査に関する情報を管理する装置、所謂LIS(Laboratory Information System)であり、血球分析装置５だけでなく、他の臨床検体検査装置にも接続されている。かかる検査情報管理装置９は、操作者から入力されたり、電子カルテシステム等の他の装置から送信された測定オーダを受け付け、測定オーダを記憶、管理する。さらに、検査情報管理装置９は、システム制御装置８又は血球分析装置５からのオーダ要求を受け付け、要求された測定オーダをシステム制御装置８又は血球分析装置５へ送信する。また、検査情報管理装置９は、血球分析装置５から分析結果を受信し、この分析結果を記憶、管理する。
【００５２】
検査情報管理装置９は、コンピュータにより構成されており、ＣＰＵ、ＲＯＭ、ＲＡＭ、ハードディスク、通信インタフェース等を備えている。通信インタフェースは、上述したＬＡＮに接続されており、システム制御装置８、及び血球分析装置５の情報処理ユニット５４と通信することが可能である。また、ハードディスクには、測定オーダが格納されている。測定オーダには、検体ＩＤ及び実施対象の測定項目の情報が含まれている。検査情報管理装置９は、他の装置から検体ＩＤを含む測定オーダの要求データを受信したときには、この検体ＩＤに対応する測定データをハードディスクから読み出し、要求元の装置へ送信するように構成されている。その他、検査情報管理装置９の構成は、上述した他のコンピュータの構成と同様であるので、その説明を省略する。
【００５３】
［検体処理システムの動作］
次に、本実施の形態に係る検体処理システムの動作について説明する。
【００５４】
まず、本実施の形態に係る血球分析装置５の検体測定動作について説明する。ここでは、検体搬送装置３によって自動的に検体ラックを搬送し、搬送された検体ラックに保持された検体を自動的に各測定ユニット５１〜５３で測定するサンプラ測定動作について説明する。
【００５５】
検体処理システム１を使用して検体の測定を行う場合には、まず検体発送装置２、検体搬送装置３、血球分析装置５、塗抹標本作製装置６、検体回収装置７、及びシステム制御装置８を起動する。なお、検査情報管理装置９は、一般的には停止されることはなく、常時動作している。血球分析装置５を起動するためには、測定ユニット５１，５２，５３及び情報処理ユニット５４の全てを起動させる必要がある。
【００５６】
ここで情報処理ユニット５４の起動動作について説明する。情報処理ユニット５４が起動されると、情報処理ユニット５４のＣＰＵ５４１ａは、初期化処理を実行する。この初期化処理には、ＲＡＭ５４１ｃの初期化、及び各種設定値の読み出し等が含まれる。続いてＣＰＵ５４１ａは、メニュー画面を画像表示部５４２に表示させる。以上により、情報処理ユニット５４の起動動作が完了する。このメニュー画面を表示した後は、情報処理ユニット５４がオペレータからの各種入力を受け付けることが可能となる。メニュー画面の詳細は後述する。
【００５７】
検体処理システム１の各構成要素の起動が完了すると、検体の測定が可能となる。血球分析装置５の各測定ユニット５１，５２，５３は、起動直後はサンプラ測定モードに設定されている。
【００５８】
この状態において、オペレータが、検体容器を収容した検体ラックをラック収容ユニット２１に載置し、検体処理システム１に処理開始の指示を与えることによって、検体ラックの移送が開始される。システム制御装置８によって検体ラックの搬送先が決定され、決定された搬送先の測定ユニットへ検体搬送装置３によって検体ラックが搬送される。
【００５９】
ここで、測定ユニット５１に検体ラックが搬送された場合における血球分析装置５の動作について説明する。検体搬送ユニット３ａの測定ライン３Ｍまで検体ラックが搬送された後、情報処理ユニット５４のＣＰＵ５４１ａの制御により、検体容器が吸引位置へ搬送され、測定項目に必要な量の検体が検体容器から吸引される。
【００６０】
また、情報処理ユニット５４のＣＰＵ５４１ａは、試料調製部５１２を制御し、測定項目に応じて測定試料を調製し、検出部５１３に測定試料を供給して、検出部５１３により検体の測定を行う。これにより、ＣＰＵ５４１ａは、検出部５１３から出力される測定データを取得する。ＣＰＵ５４１ａは、測定データの解析処理を実行し、検体中に含まれる血球を分類し、且つ、種類毎に血球数を計数し、このように分類された血球が種類毎に色分けされたスキャッタグラムを作成する。測定データの解析処理により生成された測定結果データは、測定オーダに含まれる患者情報等と共にハードディスクに格納され、また、システム制御装置８及び検査情報管理装置９のそれぞれへ送信される。血球分析装置５は、かかる検体測定動作を検体ラックに保持されている各検体に対して順次実行する。
【００６１】
なお、測定ユニット５２，５３が搬送先とされた場合については、上記と同様であるので、その説明を省略する。
【００６２】
また、塗沫標本作製装置６による塗抹標本の作製が指示された検体については、当該検体を保持した検体ラックが検体搬送ユニット４の測定ライン３Ｍまで搬送され、塗抹標本が作製される。
【００６３】
検体ラックに保持された全ての検体について、測定オーダにしたがった測定（又は塗抹標本の作製）が行われると、当該検体ラックは検体搬送装置３により搬送され、検体回収装置７に回収される。
【００６４】
＜画面表示切替動作＞
図４は、情報処理ユニット５４のメニュー画面を示す図である。メニュー画面Ｄ１は、上述したように情報処理ユニット５４が起動された後最初に表示される画面である。かかるメニュー画面Ｄ１からは、後述する測定結果リスト画面、測定結果詳細画面、精度管理画面等の他の画面に移行することが可能である。
【００６５】
図に示すように、メニュー画面Ｄ１には、ツールバーが表示されるツールバー領域Ａ１、他の画面へ移行するための複数のアイコンが表示されるメイン領域Ａ２、及び測定ユニット５１，５２，５３を操作するための測定操作領域Ａ３が設けられている。ツールバー領域Ａ１及び測定操作領域Ａ３は、メニュー画面Ｄ１だけでなく、情報処理ユニットの他の画面にも設けられた共通の領域である。また、ツールバー領域Ａ１は左側の領域と右側の領域に分割されており、左側の領域はどの画面であっても共通のボタンが表示される固定ボタン領域Ａ１１であり、右側の領域は画面毎に表示されるボタンが変わる可変ボタン領域Ａ１２である。固定ボタン領域Ａ１１には、メニュー画面を表示させるための「メニュー」ボタンＢ１１、精度管理画面を表示させるための「ＱＣファイル」ボタンＢ１２、測定オーダの登録画面を表示させるための「測定登録」ボタンＢ１３、測定結果リスト画面を表示させるための「エクスプローラ」ボタンＢ１４、及び測定結果詳細画面を表示させるための「ブラウザー」ボタンＢ１５が表示される。一方、メニュー画面Ｄ１における可変ボタン領域Ａ１２には、メニュー画面Ｄ１の表示形態を設定するための「表示設定」ボタンが表示される。
【００６６】
なお、ここでいう「アイコン」とは、特定の機能が割り当てられ、当該機能を象徴的に表すようにデザインされた画像をいい、ウィンドウ内において表示されるものを含む。
【００６７】
ツールバー領域Ａ１は、画面の最上部に設けられている。このツールバー領域Ａ１の下方にメイン領域Ａ２が設けられ、さらにその下方に測定操作領域Ａ３が設けられている。メイン領域Ａ２は、ツールバー領域Ａ１及び測定操作領域Ａ３よりも大きい面積の領域であり、その画面の主要なコンテンツが表示される。メニュー画面Ｄ１のメイン領域Ａ２には、取扱説明書を表示するための「取扱説明書」アイコンＣ１１、精度管理画面を表示するための「ＱＣファイル」アイコンＣ１２、測定オーダ登録画面を表示するための「測定登録」アイコンＣ１３、患者情報登録画面を表示するための「患者登録」アイコンＣ１４、測定結果詳細画面を表示するための「データーブラウザー」アイコンＣ１５、測定結果リスト画面を表示するための「サンプルエクスプローラー」アイコンＣ１６、情報処理ユニット５４の設定に用いられるＩＰＵ設定画面を表示するための「設定」アイコンＣ１７、測定ユニット５１，５２，５３の設定に用いられる測定部設定画面を表示するための「測定部設定」アイコンＣ１８、情報処理ユニット５４をシャットダウンするための「ＩＰＵ終了」アイコンＣ１９、及びユーザが情報処理ユニット５４からログオフするための「ログオフ」アイコンＣ１１０が設けられている。アイコンＣ１２〜Ｃ１８は、メニュー画面Ｄ１から他の画面に表示を切り替える機能が割り当てられており、これらのアイコンＣ１２〜Ｃ１８の何れかがマウスのクリック操作により選択されると、対応する画面に切り替わるようになっている。また、ボタンＢ１２には、アイコンＣ１２と同じ機能が割り当てられており、ボタンＢ１２又はアイコンＣ１２が選択されると、精度管理画面の表示を指示するコマンドがＣＰＵ５４１ａにより発行され、このコマンドにしたがって精度管理画面が表示される。同様に、ボタンＢ１３にはアイコンＣ１３と同じ機能が割り当てられ、ボタンＢ１４にはアイコンＣ１６と同じ機能が割り当てられ、ボタンＢ１５にはアイコンＣ１５と同じ機能が割り当てられている。
【００６８】
次に、測定操作領域Ａ３について説明する。測定操作領域Ａ３は、画面Ｄ１の横幅全体にわたって、画面Ｄ１の最下部に設けられた領域であり、当該測定操作領域Ａ３には、測定ユニットの数と同数（本実施の形態においては３つ）の測定ユニット操作部Ｍ１〜Ｍ３が左右方向に並べて表示される。図５は、測定ユニット操作部Ｍ１の構成を示す拡大図である。測定ユニット操作部Ｍ１は測定ユニット５１の操作に用いられ、測定ユニット操作部Ｍ２は測定ユニット５２の操作に用いられ、測定ユニット操作部Ｍ３は測定ユニット５３の操作に用いられる。また、各測定ユニット操作部Ｍ１〜Ｍ３は、測定ユニット５１〜５３の配置と同じ関係で配置される。即ち、最も右側に配置されている測定ユニット５１（図１参照）に対応する測定ユニット操作部Ｍ１は最も右側に配置され（図４参照）、中央に配置されている測定ユニット５２（図１参照）に対応する測定ユニット操作部Ｍ２は中央に配置され（図４参照）、最も左側に配置されている測定ユニット５３（図１参照）に対応する測定ユニット操作部Ｍ３は左側に配置される（図４参照）。
【００６９】
測定ユニット操作部Ｍ１の左上部には、測定ユニット５１の状態を示す情報を表示するための機器ステータス表示部Ｐ１が設けられている。この機器ステータス表示部Ｐ１には、対応する測定ユニット（測定ユニット操作部Ｍ１の場合には測定ユニット５１）を特定するためのユニットＩＤ（図４の場合では“ＳＹＳＭＥＸ１”）と、３つのアイコンＣ２１，Ｃ２２，Ｃ２３とが表示される。アイコンＣ２１は、通常の検体を使用した精度管理（ＸｂａｒＭ）機能が有効であることを示している。即ち、このアイコンＣ２１が表示されている場合には、対応する測定ユニットにおいてＸｂａｒＭ機能が有効になっている。一方、対応する測定ユニットにおいてＸｂａｒＭ機能が無効となっている場合には、アイコンＣ２１が表示されない。アイコンＣ２２は、対応する測定ユニットの血液吸引センサがオンに設定されていることを示す。対応する測定ユニットの血液吸引センサがオフに設定されている場合には、アイコンＣ２２が表示されない。また、アイコンＣ２３は、蓋が取り付けられておらず、上端が開口した検体容器から検体を吸引し、測定する「オープン測定モード」が設定されていることを示す。蓋が取り付けられた検体容器から検体を吸引し、測定する「クローズ測定モード」が設定されている場合には、アイコンＣ２３が表示されない。図５において、アイコンＣ２３が破線によって示されているが、これはアイコンＣ２３が表示されていないことを示している。
【００７０】
機器ステータス表示部Ｐ１の右側には、４つのボタンＢ３１，Ｂ３２，Ｂ３３，Ｂ３４が表示される。ボタンＢ３１は、対応する測定ユニット５１にエラーが発生したときに用いられる。対応する測定ユニット５１にエラーが発生すると、ボタンＢ３１に図中破線で示す図形（以下、「エラー警告アイコン」という。）が表示される。図５において、エラー警告アイコンが破線によって示されているが、これはこの例においてはエラー警告アイコンが表示されていないことを示している。エラー警告アイコンが表示されているときに、このボタン３１が選択される操作が行われると、測定ユニット操作部Ｍ１の上方においてメイン領域Ａ２の一部と重なるように、発生しているエラーに対する対処方法が掲載された画面（ウィンドウ）が表示される。オペレータは、かかるエラーに対する対処方法が掲載された画面（以下、「エラー対処画面」という。）を利用することで、対応する測定ユニット５１に発生しているエラーを解消することができる。なお、エラー対処画面の詳細については後述する。
【００７１】
また、ボタンＢ３２は、測定ユニット５１の測定モードを切り替えるための測定モード切替画面を表示するために用いられる。つまり、このボタンＢ３２が選択される操作が行われると、測定ユニット操作部Ｍ１の上方のメイン領域Ａ２の一部に重畳して、測定モード切替画面が表示される。オペレータは、かかる測定モード切替画面に対して操作入力を行うことで、通常測定モード、希釈測定モード、体液測定モード等の測定モードの中から一つの測定モードを選択し、対応する測定ユニット５１をこの測定モードに設定することができる。なお、測定モード切替画面の詳細については後述する。
【００７２】
対応する測定ユニット５１において、サンプラ測定モードが設定されている場合には、サンプラ測定モードに対応する図形（図５参照）がボタンＢ３３に表示され、マニュアル測定モードが設定されている場合には、マニュアル測定モードに対応する図形がボタンＢ３３に表示される。測定ユニット５１がサンプラ測定モードに設定されている状態において、ボタンＢ３３が選択される操作が行われると、測定ユニット操作部Ｍ１の上方においてメイン領域Ａ２の一部に重なるように、サンプラ測定動作の指示を行うためのサンプラ測定画面が表示される。また、測定ユニット５１がマニュアル測定モードに設定されている状態において、ボタンＢ３３が選択される操作が行われると、測定ユニット操作部Ｍ１の上方においてメイン領域Ａ２の一部に重なるように、マニュアル測定画面が表示される。オペレータはサンプラ測定画面に対して操作入力を行うことで、対応する測定ユニット５１に対してサンプラ測定動作を指示することができる。また、オペレータはマニュアル測定画面に対して操作入力を行うことで、対応する測定ユニット５１に対してマニュアル測定動作を指示することができる。なお、マニュアル測定画面の詳細については後述する。
【００７３】
また、ボタンＢ３４は、対応する測定ユニット５１に対して各種動作指示を行うための測定部メニュー画面を表示するために用いられる。つまり、このボタンＢ３４が選択される操作が行われると、測定ユニット操作部Ｍ１の上方においてメイン領域Ａ２の一部と重なるように、測定部メニュー画面が表示される。オペレータはかかる測定部メニュー画面を操作することで、対応する測定ユニット５１に対して精度管理測定の指示、ＸｂａｒＭの設定、試薬交換動作の実行指示等を行うことができる。なお、かかる測定部メニュー画面の詳細については後述する。
【００７４】
機器ステータス表示部Ｐ１のアイコンＣ２１の下側には、対応する測定ユニット５１の状態を通知するためのステータス通知部Ｐ２が設けられている。このステータス通知部Ｐ２は、四角形の領域であり、測定ユニット５１（測定ユニット操作部Ｍ２においては測定ユニット５２、測定ユニット操作部Ｍ３においては測定ユニット５３）が正常に動作している場合には、緑色に表示される。また、測定ユニット５１（測定ユニット操作部Ｍ２においては測定ユニット５２、測定ユニット操作部Ｍ３においては測定ユニット５３）に異常が発生している場合には、当該ステータス通知部Ｐ２が赤色に表示される。
【００７５】
機器ステータス表示部Ｐ１の下側であって、ステータス通知部Ｐ２の右側には、対応する測定ユニット５１が現在測定している検体の検体番号が表示され、また、検体番号の下側には、当該検体において測定される測定項目が表示される。“ＷＢ”と表記されたアイコンＣ４１は、「通常検体測定モード」を示している。つまり、アイコンＣ４１が表示されている場合には、当該測定ユニット５１は通常検体測定モードで稼働している。アイコンＣ４１の位置に、“ＰＤ”と表記されたアイコンが表示されている場合には、測定ユニット５１は「希釈検体測定モード」で稼働しており、“ＢＦ”と表記されたアイコンが表示されている場合には、測定ユニット５１は「体液測定モード」で稼働している。ここで、通常検体測定とは、希釈されていない血液検体（全血）の測定をいい、希釈検体測定とは、希釈液により所定倍（通常検体測定時よりも高い希釈倍率）に血液検体を希釈した上で行われる検体測定をいい、体液測定とは、血液とは異なる体液（例えば脳脊髄液）の測定をいう。なお、測定ユニット５１が現在検体の測定を行っていない場合には、ステータス通知部Ｐ２の右側には、次に測定する予定の検体の検体番号がその先頭に“＞”を付して表示される。
【００７６】
アイコンＣ４１の右側には、ディスクリート項目“ＣＢＣ”，“ＤＩＦＦ”のそれぞれに対応するアイコンＣ４２，Ｃ４３が表示されている。これらのアイコンＣ４２，Ｃ４３は、対応する測定ユニット５１が測定可能なディスクリート項目に対応している。つまり、測定ユニット５１では“ＲＥＴ”の測定が行えないため、測定ユニット操作部Ｍ１には、“ＲＥＴ”に対応するアイコンは表示されない。一方、“ＲＥＴ”の測定が可能な測定ユニット５３に対応する測定ユニット操作部Ｍ３には、“ＲＥＴ”に対応するアイコンが表示される。
【００７７】
また、アイコンＣ４２，Ｃ４３は、表示されている検体の測定オーダにおいて測定が指示されているディスクリート項目と、測定が指示されていないディスクリート項目とでは異なる態様にて表示される。つまり、測定指示されているディスクリート項目のアイコンは所定のレベルの輝度で表示（以下、「通常表示」という。）され、測定指示されていないディスクリート項目のアイコンは前記通常表示より低いレベルの輝度（以下、「淡色表示」という。）で表示される。これにより、測定指示されている項目と、測定指示されていない項目とが区別可能となる。図５において、実線で表記されたアイコンＣ４２は通常表示であり、破線で表記されたアイコンＣ４３は淡色表示であることを示している。つまり、図５の場合、検体番号“００８０３”の検体について、ディスクリート項目“ＣＢＣ”の測定が指示され、項目“ＤＩＦＦ”の測定は指示されていないことが分かる。
【００７８】
アイコンＣ４２、Ｃ４３の右側には、試薬残量アイコンＣ４４が表示される。試薬残量表示アイコンＣ４４は、対応する測定ユニット５１の試料調製部５１２に接続された試薬容器の試薬残量の表示に用いられる。試薬残量表示アイコンＣ４４は、前記試料調製部５１４に接続された各試薬容器を示す複数の枠状の図形から構成されており、各試薬容器の枠の図形中には、試薬の残量を示すインジケータが表示される。試料調製部５１２に接続された試薬容器には、その種類毎に固有の色のラベルが貼布されている（例えば、ＤＩＦＦ測定用の染色試薬には赤、希釈液には青のラベルが貼布される等）。試薬残量表示アイコンＣ４４に含まれる各枠図形は、対応する試薬容器のラベルと同一の色により表示されている。これにより、どの枠図形がどの試薬容器に対応しているかが容易に理解される。
【００７９】
アイコンＣ４１〜Ｃ４４の下側、即ち測定ユニット操作部Ｍ１の下端の帯状のエラーメッセージ領域Ｐ６には、対応する測定ユニット５１にエラーが発生したときに、エラーメッセージが表示される。例えば、特定の試薬の残量がなくなった場合には、当該試薬の交換を促すエラーメッセージがこの領域に表示される（図１４参照）。
【００８０】
なお、測定ユニット操作部Ｍ２及びＭ３の構成は、測定ユニットＭ１の構成と同様であるので、その説明を省略する。
【００８１】
上記のような各測定ユニット操作部Ｍ１〜Ｍ３のそれぞれの下方には、検体搬送装置３にエラーが発生したときに、エラーメッセージが表示される帯状の領域である搬送エラー表示部Ｐ４が設けられている。かかる搬送エラー表示部Ｐ４には、検体搬送装置３にエラーが発生したときに、エラーメッセージが表示される（図１４参照）。また、それぞれの搬送エラー表示部Ｐ４は、検体搬送ユニット３ａ〜３ｃに対応している。つまり、測定ユニット操作部Ｍ１の下方に表示されている搬送エラー表示部Ｐ４は、測定ユニット操作部Ｍ１に対応する測定ユニット５１の前側に配置されている検体搬送ユニット３ａに対応しており、検体搬送ユニット３ａにエラーが発生したときに、そのエラーに対応するエラーメッセージが当該エラー表示部Ｐ４に表示される。同様に、測定ユニット操作部Ｍ２の下方に表示されている搬送エラー表示部Ｐ４は、測定ユニット操作部Ｍ２に対応する測定ユニット５２の前側に配置されている検体搬送ユニット３ｂに対応しており、測定ユニット操作部Ｍ３の下方に表示されている搬送エラー表示部Ｐ４は、測定ユニット操作部Ｍ３に対応する測定ユニット５３の前側に配置されている検体搬送ユニット３ｃに対応している。例えば、検体搬送ユニット３ａの搬送路の途中で検体ラックが詰まり、搬送エラーが発生した場合には、検体ラックの搬送エラーを通知するエラーメッセージが、測定ユニット操作部Ｍ１の下方に配置された搬送エラー表示部Ｐ４に表示される。
【００８２】
図４に示すように、各搬送エラー表示部Ｐ４の左側には、検体搬送ユニット３ａ〜３ｃの状態を各別に通知するためのステータス通知部Ｐ５が設けられている。検体搬送ユニット３ａに対応する搬送エラー表示部Ｐ４の左側に隣接して設けられたステータス通知部Ｐ５は、検体搬送ユニット３ａに対応している。同様に、検体搬送ユニット３ｂに対応する搬送エラー表示部Ｐ４の左側に隣接して設けられたステータス通知部Ｐ５は、検体搬送ユニット３ｂに対応しており、検体搬送ユニット３ｃに対応する搬送エラー表示部Ｐ４の左側に隣接して設けられたステータス通知部Ｐ５は、検体搬送ユニット３ｃに対応している。これらのステータス通知部Ｐ５は、横長の長円形の領域であり、対応する検体搬送ユニット３ａ〜３ｃが正常に動作している場合には、緑色に表示される。また、検体搬送ユニット３ａ〜３ｃの何れかに異常が発生している場合には、異常が発生している検体搬送ユニットに対応するステータス通知部Ｐ５が赤色に表示される。
【００８３】
測定ユニット操作部Ｍ１〜Ｍ３のボタンＢ３１〜Ｂ３４が操作されると、測定ユニット操作部Ｍ１〜Ｍ３の上部において、メイン領域Ａ２に表示されているコンテンツを隠すように、選択されたボタンＢ３１〜Ｂ３４に対応する画面が表示される。詳しくは後述するが、これらの画面の複数を同時に表示することも可能である。例えば、測定ユニット操作部Ｍ１のボタンＢ３１が選択され、エラーの対処方法が掲載された画面が測定ユニット操作部Ｍ１の上方に表示されている間に、測定ユニット操作部Ｍ２のボタンＢ３２が選択されると、測定ユニット操作部Ｍ２の上方に測定ユニット５２用の測定モード切替画面が表示される。図４に示すように、最も左側の測定ユニット操作部Ｍ３の左側には、複数の画面を同時に非表示にし、また非表示にされた複数の画面を同時に再表示するためのボタンＢ５が設けられている。上記のように複数の画面がメイン領域Ａ２に重畳して表示されている場合に、ボタンＢ５が選択される操作が行われると、表示されていた全ての画面が同時に非表示とされる。また、複数の画面が非表示とされている場合に、ボタンＢ５が選択される操作が行われると、非表示であった全ての画面が同時に表示される。
【００８４】
上述したメイン領域Ａ２は、各測定ユニット５１〜５３の全てに共通に利用される。つまり、図４に示すように、メニュー画面Ｄ１のメイン領域Ａ２には、各測定ユニット５１〜５３に共用されるアイコンが表示される。例えば、精度管理画面は各測定ユニット５１〜５３において行われた精度管理結果が表示される画面であり、この精度管理画面を表示するためのアイコンＣ１２は、測定ユニット５１〜５３の全てに共用されるアイコンといえる。また、測定結果リスト画面は、各測定ユニット５１〜５３の検体測定結果を一覧形式で表示するための画面であり、この測定結果リスト画面を表示するためのアイコンＣ１６は、測定ユニット５１〜５３の全てに共用されるアイコンといえる。さらに、測定結果詳細画面は、各測定ユニット５１〜５３の検体測定結果を１画面につき１検体ずつ詳細に表示するための画面であり、この測定結果詳細画面を表示するためのアイコンＣ１５は、測定ユニット５１〜５３の全てに共用されるアイコンといえる。
【００８５】
一方、測定ユニット操作部Ｍ１〜Ｍ３は、対応する測定ユニット５１〜５３についてのみ使用される。つまり、測定ユニット操作部Ｍ１〜Ｍ３のそれぞれは、対応する測定ユニット５１〜５３のみを操作するための当該測定ユニット固有の操作部である。
【００８６】
図６は、情報処理ユニット５４の画面表示切替動作の手順を示すフローチャートである。上述したように、情報処理ユニット５４が起動されると、ＣＰＵ５４１ａにより画像表示部５４２にメニュー画面が表示される（ステップＳ１０１）。次にＣＰＵ５４１ａは、画面の表示切替指示を受け付けたか否かを判定する（ステップＳ１０２）。上述したように、メニュー画面Ｄ１のメイン領域Ａ２に表示されているアイコンＣ１２〜Ｃ１８の何れか、又はツールバー領域Ａ１に表示されているボタンＢ１１〜Ｂ１５の何れかが選択される操作により、オペレータは画面の表示切替指示を情報処理ユニット５４に与えることが可能である。ＣＰＵ５４１ａは、かかる画面表示切替指示を受け付けると（ステップＳ１０２においてＹＥＳ）、表示指示された画面を画像表示部５４２に表示させる（ステップＳ１０３）。一方、ＣＰＵ５４１ａは、画面表示の切替指示を受け付けていない場合には（ステップＳ１０３においてＮＯ）、ステップＳ１０４へ処理を進める。
【００８７】
この表示画面において、オペレータは画面に応じたデータの処理が可能である。例えば、測定結果リスト画面及び測定結果詳細画面では、測定結果を表示し、さらにオペレータからの指示により、選択された（表示された）測定結果を承認するバリデーション処理を行うことが可能である。また、精度管理画面では、精度管理物質の測定結果の履歴である精度管理データを表示し、オペレータからの指示に応じて、当該精度管理データを外部のプリンタに出力して印刷を行ったり、外部のコンピュータへ精度管理データを送信したりすることが可能である。測定オーダ登録画面では、測定オーダの登録が可能である。測定オーダの登録では、オペレータが入力部５３を操作して測定対象のディスクリート項目を指定する入力を行い、登録実行を指示することで、ハードディスク５４１ｄに設けられた図示しない測定オーダデータベースに、指定されたディスクリート項目を含む測定オーダが記憶される。患者情報登録画面では、患者情報の登録が可能である。患者情報の登録では、オペレータが入力部５４３を操作して患者ＩＤ、患者の氏名、担当医等の患者情報を入力し、登録実行を指示することで、ハードディスク５４１ｄに設けられた患者情報データベースに、入力された患者情報が記憶される。このように、ＣＰＵ５４１ａは、表示されている画面に応じたデータ処理の指示を受け付けたか否かを判定する（ステップＳ１０４）。ＣＰＵ５４１ａは、かかるデータ処理の実行指示を受け付けていない場合には（ステップＳ１０４においてＮＯ）、ステップＳ１０６へ処理を移す。
【００８８】
ステップＳ１０４において、データ処理の実行指示を受け付けた場合には（ステップＳ１０４においてＹＥＳ）、ＣＰＵ５４１ａは、指示されたデータ処理を実行し（ステップＳ１０５）、ステップＳ１０６へ処理を移す。
【００８９】
ステップＳ１０６において、ＣＰＵ５４１ａは、情報処理ユニット５４のシャットダウンの指示を受け付けたか否かを判定する（ステップＳ１０６）。例えばメニュー画面Ｄ１が表示されている場合においては、アイコンＣ１９の選択により、情報処理ユニット５４のシャットダウン指示が可能である。ステップＳ１０６において、情報処理ユニット５４のシャットダウン指示を受け付けていない場合には（ステップＳ１０６においてＮＯ）、ＣＰＵ５４１ａはステップＳ１０２へ処理を戻し、再度画面表示の切替指示を受け付けたか否かを判定する（ステップＳ１０２）。ここで、メニュー画面Ｄ１以外の画面が表示されている場合におけるステップＳ１０２の処理は、ツールバー領域Ａ１に表示されているボタンＢ１１〜Ｂ１５の何れかが選択されたか否かを判定することにより行われる。
【００９０】
一方、ステップＳ１０６において情報処理ユニット５４のシャットダウン指示を受け付けた場合には（ステップＳ１０６においてＹＥＳ）、ＣＰＵ５４１ａは、シャットダウン処理を実行し（ステップＳ１０７）、処理を終了する。
【００９１】
次に、測定結果リスト画面に表示が切り替えられた場合の情報処理ユニット５４の動作について説明する。図７は、情報処理ユニット５４の測定結果リスト画面を示す図である。
【００９２】
測定結果リスト画面Ｄ２には、他の画面と同様に、ツールバー領域Ａ１、メイン領域Ａ２、及び測定操作領域Ａ３が設けられている。ツールバー領域Ａ１の固定ボタン領域Ａ１１、及び測定操作領域Ａ３に表示される内容については、上述したメニュー画面Ｄ１と同様であるので、その説明を省略する。
【００９３】
測定結果リスト画面Ｄ２におけるメイン領域Ａ２には、検体の情報が一覧表示される。図７に示すように、この検体情報リストＬ２１には、検体毎に検体に関する情報が１行ずつ表示される。検体情報リストＬ２１には、後述する認証の有無を表示するためのフィールドＦ２１、検体番号を表示するためのフィールドＦ２３、測定日時を表示するためのフィールドＦ２４、測定オーダの受付日時を表示するためのフィールドＦ２６等が設けられている。なお、測定ユニット５１〜５３のそれぞれで測定された検体の情報がまとめてメイン領域Ａ２に表示されることにより、メイン領域Ａ２は測定ユニット５１〜５３に関する情報の表示に共用されている。
【００９４】
検体情報リストＬ２１の各行はマウスのクリック操作等により選択可能である。検体情報リストＬ２１の右側には、検体の測定結果を表示するための測定結果リストＬ２２が表示される。上記のようにして１つの検体情報が選択されると、測定結果リストＬ２２に、選択された検体の測定結果の数値データが一覧表示されるようになっている。
【００９５】
かかる測定結果リスト画面Ｄ２では、検体の測定結果の認証（バリデーション）、その他の測定結果データの処理を行うことが可能である。測定結果リスト画面Ｄ２における可変ボタン領域Ａ１２には、検体情報等の修正を行うための「修正」ボタンＢ１６、検体の測定結果のバリデーション（認証）を行うための「バリデート」ボタンＢ１７、特定の条件に合致する検体情報のみを検体情報リストＬ２１に表示させるための「フィルタ」ボタンＢ１８、検体情報リストＬ２１における検体情報の並び順を変更するための「ソート」ボタンＢ１９等が設けられている。
【００９６】
測定結果のバリデーションを行う場合、オペレータは、図に示すように検体情報リストＬ２１に表示されている１つの検体情報を選択する。図７においては、選択された検体情報を斜線で示している。オペレータは、測定結果リストＬ２２に表示されている各項目の測定データを確認し、医師に測定結果を報告してもよいと判断すれば、「バリデーション」ボタンＢ１７を選択する。これにより、選択されている測定結果のバリデーションが実行される。バリデーションが行われた検体情報のフィールドＦ２１には、バリデーション済であることを示す“Ｖ”マークが表示される。これと共に、ハードディスク５１ｄの測定結果データベースにおいて、当該測定結果のバリデーションが行われたことを示す情報が登録される。
【００９７】
次に、検体情報の並び順の変更について説明する。検体情報リストＬ２１に表示されている検体情報の並び順を変更する場合には、ボタンＢ１９が用いられる。ボタンＢ１９が選択されると、並び順を設定するためのメニューが、ボタンＢ１９の下方に表示される。図８は、メニューが表示された場合の測定結果リスト画面を示す図である。図８に示すように、ボタンＢ１９が選択されると、メイン領域Ａ２の検体情報に重畳して、ボタンＢ１９の下方にメニューＮ１が表示される。メニューＮ１には、測定日時によって検体情報の並び替えを行うためのメニュー項目Ｎ１１と、測定オーダの受付日時によって検体情報の並び替えを行うためのメニュー項目Ｎ１２と、検体番号によって検体情報の並び替えを行うためのメニュー項目Ｎ１３とが設けられている。各メニュー項目Ｎ１１〜Ｎ１３は選択可能であり、選択されたメニュー項目に対応する条件で検体情報の並び替えが実行される。また、各メニュー項目Ｎ１１〜Ｎ１３には昇順、降順の何れかを設定するためのボタンが設けられており、オペレータが何れかのボタンを選択することで、昇順、降順の何れかを設定可能である。
【００９８】
また、かかるメニューＮ１においては、ユーザが設定可能なメニュー項目Ｎ１４，Ｎ１５が設けられている。このメニュー項目Ｎ１４，１５に設けられた「設定変更」ボタンが選択されると、並び順の条件設定用のダイアログ画面が表示されるようになっている（図示せず）。これにより、ユーザが新たな並び順の条件を追加することが可能である。
【００９９】
また、メニューＮ１がボタンＢ１９が選択されたことにより表示されたものであることを示すために、上記のメニューＮ１の上部からは三角形上の突起がボタンＢ１９へ向けて突出するように設けられており、メニューＮ１が吹き出し状となるように表示される。他のボタンが選択された場合にも、三角形の形状が選択されたボタンへ向かって突出するように、吹き出し状のメニューが表示される。これにより、表示中のメニューが何れのボタンに係るものであるかが容易に理解される。
【０１００】
次に、測定結果詳細画面について説明する。図９は、測定結果詳細画面を示す図である。
【０１０１】
測定結果詳細画面Ｄ３には、他の画面と同様に、ツールバー領域Ａ１、メイン領域Ａ２、及び測定操作領域Ａ３が設けられている。ツールバー領域Ａ１の固定ボタン領域Ａ１１、及び測定操作領域Ａ３に表示される内容については、上述したメニュー画面Ｄ１と同様であるので、その説明を省略する。
【０１０２】
測定結果詳細画面Ｄ３におけるメイン領域Ａ２には、測定ユニット５１〜５３のいずれかで測定された検体の測定結果の数値データ及び図形データ（分布図）が表示される。図９に示すように、メイン領域Ａ２の上部には、表示中の測定結果が陽性である場合、即ち測定データの何れかに所定の基準範囲を超えた異常が含まれている場合に、当該測定結果が陽性であることを示す陽性情報を表示するための領域Ｐ３１、表示中の測定結果がバリデーション済であるか否かを示すバリデーション情報を表示するための領域Ｐ３２、検体番号、測定日時及び時刻等の検体情報を表示するための領域Ｐ３３、及び患者の氏名、患者ＩＤ、担当医等の患者情報を表示するための領域Ｐ３４等が設けられている。なお、図９に示すメイン領域Ａ２には、測定ユニット５１〜５３の何れか１つの測定ユニットで測定された検体の測定結果のみが表示されているが、この測定結果に切り替えて、他の測定ユニットで測定された検体の測定結果をメイン領域Ａ２に表示することができる。このようにして、メイン領域Ａ２は測定ユニット５１〜５３に関する情報の表示に共用されている。
【０１０３】
また、領域Ｐ３１〜Ｐ３４の下方左側には、測定結果の数値データが表示される領域Ｐ３５が設けられており、領域Ｐ３１〜Ｐ３４の下方右側には、測定結果の分布図データが表示される領域Ｐ３６が設けられている。領域Ｐ３５には、各項目毎に数値データが一覧形式で表示される。領域Ｐ３６には、検体測定において作成されたスキャッタグラム及びヒストグラムが表示される。
【０１０４】
かかる測定結果詳細画面Ｄ３では、検体の測定結果のバリデーション及び修正を行うことが可能である。測定結果詳細画面Ｄ３における可変ボタン領域Ａ１２には、検体情報等の修正を行うための「修正」ボタンＢ１６、検体の測定結果のバリデーションを行うための「バリデーション」ボタンＢ１７等が設けられている。
【０１０５】
測定結果のバリデーションを行う場合、オペレータは、図に示すように領域Ｐ３５，Ｐ３６に表示されている各項目の測定データ及び分布図データを確認し、医師に測定結果を報告してもよいと判断すれば、「バリデーション」ボタンＢ１７を選択する。これにより、選択されている測定結果のバリデーションが実行される。バリデーションが行われた場合、領域Ｐ３２にバリデーション済であることを示す情報が表示される。これと共に、ハードディスク５１ｄの測定結果データベースにおいて、当該測定結果のバリデーションが行われたことを示す情報が登録される。
【０１０６】
＜測定操作メニュー表示動作＞
上述したような画面の何れが表示されている場合であっても、測定ユニット操作部Ｍ１〜Ｍ３は常時表示されている。また、何れの画面が表示されている場合であっても、オペレータはこれらの測定ユニット操作部Ｍ１〜Ｍ３を操作することができ、これにより測定ユニット５１〜５３の操作が可能である。以下、測定ユニット操作部Ｍ１〜Ｍ３が操作されたときの画面表示について説明する。
【０１０７】
図１０は、情報処理ユニット５４の測定操作メニュー表示動作の手順を示すフローチャートである。オペレータは情報処理ユニット５４の入力部５４３を操作して、測定ユニット操作部Ｍ１〜Ｍ３を操作して、測定ユニット５１〜５３に動作指示を与えることができる。測定ユニット操作部Ｍ１〜Ｍ３のボタンＢ３１〜Ｂ３４はオペレータの操作により選択可能であり、これらのボタンＢ３１〜Ｂ３４が選択されると、対応する画面（メニューを含む）が表示される。これらの画面（以下、「操作画面」という。）を操作することで、オペレータは測定ユニット５１への動作指示又は設定等を行うことができる。
【０１０８】
ＣＰＵ５４１ａは、測定ユニット操作部Ｍ１〜Ｍ３のボタンＢ３１〜Ｂ３４の選択を受け付ける（ステップＳ２０１）。ＣＰＵ５４１ａにおいて、測定ユニット操作部Ｍ１〜Ｍ３のボタンＢ３１〜Ｂ３４の選択を受け付けるイベントが発生すると、ステップＳ２０２の処理が呼び出される。
【０１０９】
ステップＳ２０２において、ＣＰＵ５４１ａは、図１１に示すように、選択されたボタンに対応する操作画面を表示する（ステップＳ２０２）。このとき、メイン領域Ａ２の内部であって、選択されたボタンを有する測定ユニット操作部の上方の位置に、当該測定ユニット操作部と近接して当該操作画面が表示される。この際、選択されたボタンに係る操作画面であることが容易に理解されるように、図１１に示されるように、三角形状の突起が選択されたボタンに向けて突出するように、吹き出し形状の操作画面が表示される。
【０１１０】
このように選択されたボタンＢ３１〜Ｂ３４に対応する操作画面が表示されている間に、オペレータがツールバー領域Ａ１又はメイン領域Ａ２に対する操作を行うことが必要となる場合がある。本実施形態では、ボタンＢ３１〜Ｂ３４のうちの何れかが選択され、選択されたボタンに対応する操作画面が表示されている状態において、オペレータが再び当該ボタン（表示された操作画面に対応するボタン）を選択する操作を行うと、ボタンに対応する操作画面に対してそれまで入力された情報が保持され、当該操作画面が隠され、ツールバー領域Ａ１及びメイン領域Ａ２への操作が可能となる。これにより、本実施形態では、現時点までに行ってきた操作入力を破棄することなく、選択されたボタンに対応する操作画面の表示を一時的に中断し、ツールバー領域Ａ１及びメイン領域Ａ２に対する操作を可能とすることができる。
【０１１１】
また、ボタンＢ３１〜Ｂ３４の何れかが選択されたことにより操作画面が表示されているときに、ツールバー領域Ａ１及びメイン領域Ａ２の中の任意の一点を選択する操作を行っても、選択されたボタンに対応する操作画面を隠す機能が実現される。複数の操作画面が表示されている場合に、この操作が行われると、全ての操作画面が一括して隠される。このとき、各操作画面において入力された情報は、全て保持される。
【０１１２】
複数の操作画面の一括非表示機能は、測定ユニット操作部Ｍ３の左側に設けられたボタンＢ３５（図４参照）の選択によっても実現される。つまり、２以上の測定ユニット操作部Ｍ１〜Ｍ３においてボタンＢ３１〜Ｂ３４の何れかが選択され、２以上の操作画面が表示されている場合において、ボタンＢ３５が選択されると、全ての操作画面が一括して隠される。このとき、各操作画面において入力された情報は、全て保持される。
【０１１３】
ＣＰＵ５４１ａは、上記のような操作画面を隠す指示を受け付けたか否かを判定し（ステップＳ２０３）、指示を受け付けた場合には（ステップＳ２０３においてＹＥＳ）、非表示にされた操作画面において行われてきた操作入力の情報をＲＡＭ５４１ｃに記憶し（ステップＳ２０４）、操作画面を非表示にする（ステップＳ２０５）。これにより、ツールバーＡ１及びメイン領域Ａ２へのオペレータの操作が可能となる。
【０１１４】
次にＣＰＵ５４１ａは、隠された操作画面の再表示指示を受け付けたか否かを判定する（ステップＳ２０６）。操作画面が隠されたときには、隠された操作画面に対応する測定ユニット操作部のボタンＢ３１〜Ｂ３４の位置に、ボタンＢ３１〜Ｂ３４に代えて、操作画面が隠されていることを示すボタンが表示される（図示せず）。このボタンが選択されることによって、隠されていた操作画面が、隠される直前の状態で再表示される。また、操作画面が隠されている状態において、ボタンＢ３５が選択されることによっても、隠されていた操作画面が再表示される。また、ボタンＢ３５は、複数のボタンを一括して再表示することが可能である。即ち、複数の操作画面が隠されている状態において、ボタンＢ３５が選択されると、隠されている全ての操作画面が、隠される直前の状態で再表示される。
【０１１５】
ステップＳ２０６において、隠された操作画面の再表示指示を受け付けなかった場合には（ステップＳ２０６においてＮＯ）、ＣＰＵ５４１ａは、ステップＳ２０６へ処理を戻す。これにより、再表示指示を行うまで、オペレータはツールバー領域Ａ１及びメイン領域Ａ２の操作を行うことが可能である。
【０１１６】
ステップＳ２０６において、隠された操作画面の再表示指示を受け付けた場合には（ステップＳ２０６においてＹＥＳ）、ＣＰＵ５４１ａは、ＲＡＭ５４１ｃに記憶された操作入力の情報を読み出し（ステップＳ２０７）、隠されていた操作画面を画像表示部５４２に再表示させる（ステップＳ２０８）。その後、ＣＰＵ５４１ａはステップＳ２０３へ処理を戻す。
【０１１７】
ステップＳ２０３において、操作画面を隠す指示を受け付けなかった場合には（ステップＳ２０３においてＮＯ）、ＣＰＵ５４１ａは、操作画面に対する操作、即ち、測定ユニット５１〜５３に対する動作又は設定の指示を受け付けたか否かを判定する（ステップＳ２０９）。ステップＳ２０９において、操作画面に対する操作を受け付けた場合には（ステップＳ２０９においてＹＥＳ）、ＣＰＵ５４１ａは、指示された動作又は設定に対応する処理を実行し（ステップＳ２１０）、操作画面を閉じ（ステップＳ２１１）、処理を終了する。即ち、ステップＳ２１０において測定ユニットに対する動作指示を受け付けた場合には、当該動作を測定ユニットに実行させるために前記測定ユニットを制御する処理を実行し、測定ユニットに対する設定指示を受け付けた場合には、入力された設定値によりハードディスク５４１ｄの測定ユニットの設定情報を更新する。例えば、測定ユニット５１に対する検体のマニュアル測定動作の指示を受け付けた場合には、ＣＰＵ５４１ａは、測定ユニット５１を制御して、検体のマニュアル測定動作を実行させ、測定ユニット５２に対する試薬交換動作の指示を受け付けた場合には、測定ユニット５２を制御して、試薬の交換動作を実行させる。
【０１１８】
ステップＳ２０９において、操作画面の操作を受け付けなかった場合には（ステップＳ２０９においてＮＯ）、ＣＰＵ５４１ａは、操作画面を閉じる指示を受け付けたか否かを判定する（ステップＳ２１２）。ここで、操作画面を閉じる指示とは、上記の操作画面を隠す指示とは異なり、それまでに受け付けた操作画面に対する操作入力を破棄して、操作画面を非表示にする動作の指示である。オペレータは、操作画面に表示されたキャンセルボタンを選択することにより、かかる操作画面を閉じる指示を情報処理ユニット５４に与えることができる。ステップＳ２１２において、操作画面を閉じる指示を受け付けた場合には（ステップＳ２１２においてＹＥＳ）、ＣＰＵ５４１ａは、ステップＳ２１１へ処理を移し、操作画面を閉じ（ステップＳ２１１）、処理を終了する。一方、ステップＳ２１２において、操作画面を閉じる指示を受け付けなかった場合には（ステップＳ２１２においてＮＯ）、ＣＰＵ５４１ａは、ステップＳ２０３へ処理を戻す。
【０１１９】
次に、測定ユニットに対してメンテナンス動作の指示が与えられる場合の画面表示について具体的に説明する。測定ユニット操作部Ｍ１〜Ｍ３のボタンＢ３４が選択されると、操作部メニュー画面が表示される。図１１は、操作部メニュー画面を示す図である。操作部メニュー画面Ｐ５１には、対応する測定ユニットに対して精度管理測定を実行させるためのメニュー項目Ｐ５１ａと、対応する測定ユニットのＸｂａｒＭ設定を実行させるためのメニュー項目Ｐ５１ｂと、対応する測定ユニットに対して校正動作を実行させるためのメニュー項目Ｐ５１ｃと、対応する測定ユニットに対してメンテナンス動作を実行させるためのメニュー項目Ｐ５１ｄと、対応する測定ユニットに対して自動洗浄動作を実行させるためのメニュー項目Ｐ５１ｅと、対応する測定ユニットに対してシャットダウン動作を実行させるためのメニュー項目Ｐ５１ｆと、対応する測定ユニットに対して試薬交換動作を実行させるためのメニュー項目Ｐ５１ｇとが設けられている。各メニュー項目Ｐ５１ａ〜Ｐ５１ｇはオペレータの入力部５４３の操作により選択可能であり、１つのメニュー項目が選択されることにより、そのメニュー項目に対応する動作指示又は設定指示がＣＰＵ５４１ａにより発行される。
【０１２０】
図１１に示すように、操作メニュー画面Ｐ５１は、選択されたボタンＢ３４が設けられた測定ユニット操作部Ｍ３の直上に、測定ユニット操作部Ｍ３と近接して表示される。また、操作メニュー画面Ｐ５１の幅は、測定ユニット操作部Ｍ３の幅と同一とされる。このように、ボタンＢ３１〜Ｂ３４の１つが選択されたときに、選択されたボタンが設けられた測定ユニット操作部の直上に、測定ユニット操作部と同一の幅の操作画面を表示させることにより、隣り合う測定ユニット操作部の操作画面が表示されたときに、各操作画面が重なり合うことがない。
【０１２１】
また、操作メニュー画面Ｐ５１のメニュー項目Ｐ５１ｄが選択されると、操作メニュー画面Ｐ５１の右側に、メンテナンスメニュー画面Ｐ５２が表示される。このメンテナンスメニュー画面Ｐ５２には、対応する測定ユニットに対してメンテナンス動作を実行させるための複数のメニュー項目が設けられる。このメンテナンスメニュー画面Ｐ５２に含まれるメニュー項目の中には、例えば、対応する測定ユニット５３にクリーニング動作を実行させるためのメニュー項目Ｐ５２ａ、対応する測定ユニット５３の検出部５１３の洗浄動作を実行させるためのメニュー項目Ｐ５２ｂ等が含まれる。
【０１２２】
次に、オペレータが手作業で測定ユニット５１，５２，５３の何れかに検体容器をセットし、検体容器をセットされた測定ユニットが当該検体容器に収容された検体を測定するマニュアル測定動作について説明する。以下の説明では、測定ユニット５１によるマニュアル測定動作について説明する。
【０１２３】
マニュアル測定動作を実行する際には、測定ユニット５１がマニュアル測定モードに設定されている必要がある。測定ユニット５１がマニュアル測定モードに設定されていない場合、オペレータは、測定ユニット５１の筐体に設けられたモード設定スイッチ（図示せず）を操作する。これにより、測定ユニット５１がサンプラ測定モードからマニュアル測定モードへ移行する。
【０１２４】
測定ユニット５１がマニュアル測定モードに設定されると、測定ユニット５１に対応する測定ユニット操作部Ｍ１のボタンＢ３３に、マニュアル測定モードに対応する図形が表示される。このボタンＢ３３が選択されると、測定ユニット操作部Ｍ１の直上に、測定ユニット操作部Ｍ１と同一幅のマニュアル測定画面が表示される。図１２は、マニュアル測定画面を示す図である。マニュアル測定画面Ｐ５３には、検体番号を入力するための入力領域Ｐ５３ａと、患者ＩＤを入力するための入力領域Ｐ５３ｂと、測定を行うディスクリート項目を選択するための選択領域Ｐ５３ｃと、微量測定を指示するための選択領域Ｐ５３ｄと、検査情報管理装置９への測定オーダの問い合わせを指示するための選択領域Ｐ５３ｅと、血液吸引センサをオンに設定指示するための選択領域Ｐ５３ｆと、マニュアル測定の開始を指示するためのボタンＢ５３１と、当該マニュアル測定画面Ｐ５３に対する操作入力を破棄してマニュアル測定画面Ｐ５３を非表示にするためのボタンＢ５３２とが設けられている。
【０１２５】
オペレータは、マニュアル測定画面Ｐ５３に対してマニュアル測定に必要な情報を入力し、ボタンＢ５３１を選択する操作を行うことによって、情報処理ユニット５４に対して、測定ユニット５１による検体のマニュアル測定動作の指示を与える。この後、オペレータは、測定ユニット５１の筐体に設けられたスイッチ（図示せず）を操作することにより、測定ユニット５１の検体容器搬送部５１５を筐体の外部に移動させる指示を情報処理ユニット５４に与える。これにより、情報処理ユニット５４のＣＰＵ５４１ａが測定ユニット５１を制御し、検体容器搬送部５１５が測定ユニット５１の筐体の外部に移動する。オペレータは、オープン測定モードが設定されている場合には、蓋無しの検体容器を、クローズ測定モードが設定されている場合には、蓋付きの検体容器を、検体容器搬送部５１５の検体容器保持位置に載置し、測定ユニット５１の筐体に設けられた前記スイッチを操作することにより、測定ユニット５１の内部への検体容器の取り込みを情報処理ユニット５４に指示する。ＣＰＵ５４１ａは、測定ユニット５１を制御し、検体容器搬送部５１５を測定ユニット５１の筐体の内部に移動させる。
【０１２６】
情報処理ユニット５４のＣＰＵ５４１ａは、検体容器搬送部５１５を制御して、検体容器を吸引位置へ搬送し、検体吸引部５１１を制御し、マニュアル測定画面Ｐ５３の選択領域Ｐ５３ｃにおいて指定された測定項目に必要な量の検体を検体容器から吸引する。検体の吸引が完了した後には、ＣＰＵ５４１ａは、検体容器搬送部５１５を制御して、検体容器搬送部５１５を測定ユニット５１の外部へ移動させ、検体容器を測定ユニット５１の内部から排出する。オペレータは、検体容器搬送部５１５から検体容器を取り外し、引き続き別の検体のマニュアル測定を行う場合には、別の検体容器を検体容器搬送部５１５に載置する。
【０１２７】
また、情報処理ユニット５４のＣＰＵ５４１ａは、試料調製部５１２を制御し、マニュアル測定画面Ｐ５３の選択領域Ｐ５３ｃにおいて指定された測定項目に応じて測定試料を調製し、検出部５１３に測定試料を供給して、検出部５１３により検体の測定を行う。これにより、ＣＰＵ５４１ａは、検出部５１３から出力される測定データを取得する。ＣＰＵ５４１ａは、上述したサンプラ測定動作と同様に測定データの解析処理を実行し、マニュアル測定画面Ｐ５３の選択領域Ｐ５３ｃにおいて指定された測定項目についての検体の測定結果を得る。測定データの解析処理により生成された測定結果データは、ハードディスクに格納される。
【０１２８】
なお、測定ユニット５２，５３が搬送先とされた場合については、上記と同様であるので、その説明を省略する。
【０１２９】
次に、測定ユニット５３に対して試薬交換動作の指示が与えられる場合の画面表示について具体的に説明する。図１１に示すように、測定ユニット操作部Ｍ３のボタンＢ３４が選択されると、操作メニュー画面Ｐ５１が表示される。操作メニュー画面Ｐ５１のメニュー項目Ｐ５１ｇが選択されると、操作メニュー画面Ｐ５１に代えて、測定ユニット操作部Ｍ３と同一幅の試薬交換画面が表示される。図１３は、試薬交換画面を示す図である。この試薬交換画面Ｐ５４には、対応する測定ユニット５３の試料調製部５１２に接続された各試薬容器と対応する複数のアイコンＰ５４ａ〜Ｐ５４ｈが表示されている。それぞれのアイコンＰ５４ａ〜Ｐ５４ｈは、対応する試薬容器のラベルと同一の色により表示されている。これにより、どのアイコンがどの試薬容器に対応しているかが容易に理解される。
【０１３０】
また、各アイコンＰ５４ａ〜Ｐ５４ｈの内部には、対応する試薬の情報、即ち、使用期限、ロット番号、残テスト数、試薬名称のそれぞれが表示される。また、交換が必要な試薬に対応するアイコンには、残テスト数に代えて、交換が必要である旨の警告情報Ｐ５４ｉが表示される。各アイコンＰ５４ａ〜Ｐ５４ｈは、オペレータによる入力部５４３の操作によって選択可能である。また、各アイコンＰ５４ａ〜Ｐ５４ｈは、枠状の図形として表示される。それぞれの枠の内部には、色分けされた２つの領域が設けられる。これらの領域はアイコンの枠が上下に分割されることにより形成されており、枠の内部全体が試薬容器の容量に対応し、下側の領域が試薬の残量に対応している。つまり、試薬の残量が試薬容器の全容量の５０％の場合には、丁度枠内の上下方向中央位置において２つの領域が分割され、試薬の残量が試薬容器の全容量の７０％の場合には、アイコンの枠内の全高さの７０％の高さの位置で２つの領域が分割される。また、試薬が試薬容器に満杯の場合には、アイコンの枠内は分割されない。このように、一目で各試薬の大まかな残量が把握できるようになっている。
【０１３１】
また、試薬交換画面Ｐ５４には、選択されたアイコンに対応する試薬の交換動作の実行を指示するためのボタンＢ５４１と、当該試薬交換画面Ｐ５４に対する操作入力を破棄して試薬交換画面Ｐ５４を非表示にするためのボタンＢ５４２とが設けられている。オペレータは、アイコンＰ５４ａ〜Ｐ５４ｈのうち、交換する試薬に対応する１つを選択し、ボタンＢ５４１を選択する操作を行うことで、情報処理ユニット５４に当該試薬の交換動作を指示する。ＣＰＵ５４１ａは、この指示を受け付けると、測定ユニット５１を制御して、試薬交換動作を実行させる。即ち、オペレータは、不要となった試薬容器を測定ユニット５１から取り外し、新しい試薬容器のラベルに印刷されているバーコードを、測定ユニット５１に設けられた図示しない試薬バーコードリーダによって読み取らせ、この新しい試薬容器を測定ユニット５１に接続する。試薬交換動作を指示されたＣＰＵ５４１ａは、試薬バーコードリーダを制御して試薬バーコードを読み取らせ、試薬に関する情報、即ち、使用期限、ロット番号、残テスト数、及び試薬名称の各情報を取得する。ＣＰＵ５４１ａは、ハードディスク５４１ｄに設けられた試薬データベース（図示せず）に、取得した試薬情報を登録し、この登録した情報によって、交換された試薬に対応するアイコンの表示を更新する。これにより、試薬交換動作が完了する。
【０１３２】
次に、測定ユニット５３にエラーが発生した場合の画面表示について具体的に説明する。測定ユニット５３にエラーが発生した場合、図１４に示すように、対応する測定ユニット操作部Ｍ３のボタンＢ３１にエラー警告アイコンが表示される。また、ステータス通知部Ｐ２が赤色に表示され、測定ユニット操作部Ｍ３のエラーメッセージ領域Ｐ６に当該エラーに係るエラーメッセージが表示される。エラー警告アイコンが表示されているボタンＢ３１が選択されると、エラー対処画面が測定ユニット操作部Ｍ３の直上に表示される。
【０１３３】
図１４は、エラー対処画面が表示されたメニュー画面を示す図である。図１４に示すように、エラー対処画面Ｐ３１０がボタンＢ３１が選択されたことにより表示されたものであることを示すために、上記のエラー対処画面Ｐ３１０の下端からは三角形状の突起が測定ユニット操作部Ｍ３のボタンＢ３１へ向けて突出するように設けられており、エラー対処画面Ｐ３１０が吹き出し状となるように表示される。これにより、エラー対処画面Ｐ３１０が何れのボタンに係るものであるかが容易に理解される。
【０１３４】
エラー対処画面Ｐ３１０には、どのようなエラーが生じたのかを示すエラーメッセージを表示するエラーメッセージリスト領域Ｐ３１１が設けられる。このエラーメッセージリスト領域Ｐ３１１には、その時点において測定ユニット５３に生じている全てのエラーに関するエラーメッセージが一覧表示される。図１４に示す例では、試薬切れ、精度管理異常、環境温度サーミスタ断線の３つのエラーに関するエラーメッセージが表示されている。試薬切れのエラーが発生した場合には、「セルパックがなくなりました」のように試薬切れとなった試薬の種類を明示したエラーメッセージが表示される。「精度管理異常」は、精度管理測定に関するエラーである。また、「環境温度サーミスタ断線」は、測定ユニット５１に設けられた温度センサであるサーミスタが断線するエラーである。このように、どのようなエラーが発生しているかをオペレータが把握可能なエラーメッセージがエラーメッセージリスト領域Ｐ３１１に表示される。
【０１３５】
また、図１４に示す例では、エラーメッセージ領域Ｐ６に「試薬を交換してください。」のエラーメッセージが表示されている。さらにこの例では、検体搬送ユニット３ｃにおいて検体ラックの移動エラーが発生しており、測定ユニット操作部Ｍ３の下方に設けられた搬送エラー表示部Ｐ４には「ラック移動エラー」のエラーメッセージが表示されている。
【０１３６】
エラーメッセージリスト領域Ｐ３１１の右上には、アラーム停止ボタンＰ３１２が表示される。このアラーム停止ボタンＰ３１２は選択可能なオブジェクト（コントロール）であり、かかるアラーム停止ボタンＰ３１２が選択されると、ステータス通知部Ｐ５が赤色から緑色に変化し、エラーメッセージ領域Ｐ６においてエラーメッセージが非表示となる。また、エラーの発生によって動作していたアラーム表示、アラーム音が停止される。
【０１３７】
エラーメッセージリスト領域Ｐ３１１の下方には、エラーの対処方法が表示される対処方法表示領域Ｐ３１３が設けられている。エラーメッセージリスト領域Ｐ３１１に表示されているエラーメッセージはオペレータによる入力部５４３の操作によって選択可能であり、選択されたエラーメッセージに対応するエラーの対処方法を示すテキストが対処方法表示領域Ｐ３１３に表示される。図１４に示す例では、「［実行］ボタンを押すと試薬交換画面を開きます。」のテキストメッセージが対処方法表示領域Ｐ３１３に表示されている。また、さらに詳細なエラーの対処方法を示すことができる場合には、対処方法表示領域Ｐ３１３の内部に詳細な手順を表示するためのボタンＰ３１４が表示される。このボタンＰ３１４は選択可能なコントロールであり、かかるボタンＰ３１４が選択されると、新たなウィンドウが表示され、このウィンドウにエラーの詳細な対処方法が示される（図示せず）。
【０１３８】
対処方法表示領域Ｐ３１３の下方には、３つのボタンＰ３１５，Ｐ３１６，Ｐ３１７が設けられている。これらのボタンＰ３１５〜Ｐ３１７のそれぞれは、選択可能なコントロールである。ボタンＰ３１５には取扱説明書を表示する機能が割り当てられている。かかるボタンＰ３１５が選択されると、ハードディスク５４１ｄに記憶されている取扱説明書のデータ（図示せず）が読み出され、取扱説明書が画像表示部５４２に表示される。オペレータは、この取扱説明書を参照して、エラーに対処したり、エラーの詳細な内容を確認したりすることができる。エラーメッセージリスト領域Ｐ３１１において選択されているエラーメッセージに係るエラーを解消するための処理、例えば、エラー復帰動作を測定ユニットに実行させる制御処理等を情報処理ユニットが実行可能である場合、ボタンＰ３１６にはかかるエラー解消処理の実行開始が割り当てられる。図６の例では、当該ボタンＰ３１６上に「実行」の文字が表示され、このボタンＰ３１６には試薬交換画面を表示する機能が割り当てられている。オペレータは、このボタンＰ３１６を選択することで、試薬交換画面を表示することができ、この試薬交換画面を利用して試薬を交換することで、試薬切れのエラーを解消することができる。また、ボタンＰ３１７にはエラー対処画面Ｐ３１０を非表示にする機能が割り当てられている。かかるボタンＰ３１７が選択されると、それまでにエラー対処画面Ｐ３１０に入力された情報が破棄され、エラー対処画面Ｐ３１０が閉じられる。
【０１３９】
このようなエラー対処画面Ｐ３１０は、選択されたボタンＢ３１が設けられている測定ユニット操作部Ｍ３の直上のメイン領域Ａ２内の位置に表示される。即ち、測定ユニット操作部Ｍ３に対して、測定ユニット操作部Ｍ１〜Ｍ３の並設方向と直交する方向である上方向の位置に、エラー対処画面Ｐ３１０は表示される。また、エラー対処画面Ｐ３１０の横幅は、測定ユニット操作部Ｍ３の横幅と同じであり、エラー対処画面Ｐ３１０の両側端の位置は、測定ユニット操作部Ｍ３の両側端の位置と合わせられている。
【０１４０】
さらに図１４に示す例では、測定ユニット操作部Ｍ２に係る測定モード切替画面が表示されている。図１４に示すように、測定ユニット操作部Ｍ２のボタンＢ３２が選択されると、測定モード切替画面Ｐ３２０が測定ユニット操作部Ｍ２の直上に表示される。このとき、測定モード切替画面Ｐ３２０が測定ユニット操作部Ｍ２のボタンＢ３２が選択されたことにより表示されたものであることを示すために、測定モード切替画面Ｐ３２０は、その下端から三角形状の突起が測定ユニット操作部Ｍ２のボタンＢ３２へ向けて突出するように設けられ、全体として吹き出し状となるように表示される。
【０１４１】
測定モード切替画面Ｐ３２０は、通常検体測定モード、希釈検体測定モード、体液測定モードの中から何れか１つの測定モードを設定するための画面である。かかる測定モード切替画面Ｐ３２０には、対応する測定ユニット５２を通常検体測定モードに設定するためのラジオボタンＰ３２１と、同じく希釈検体測定モードに設定するためのラジオボタンＰ３２２と、同じく体液測定モードに設定するためのラジオボタンＰ３２３とが設けられている。これらのラジオボタンＰ３２１〜Ｐ３２３のそれぞれは、何れか１つを選択可能なコントロールである。つまり、ラジオボタンＰ３２１〜Ｐ３２３の中の２以上を同時に選択することはできない。また、測定モード切替画面Ｐ３２０の下部には、選択された測定モードの設定を実行するためのボタンＢ３２５と、測定モードの設定を行わずに測定モード切替画面を非表示にするためのボタンＢ３２６とが設けられている。これらのボタンＰ３２１〜Ｐ３２３およびＢ３２５、Ｂ３２６のそれぞれは、選択可能なコントロールである。即ち、ラジオボタンＰ３２１が選択された状態で、ボタンＢ３２５が選択される操作がオペレータにより行われると、対応する測定ユニット５２が通常検体測定モードに設定される。つまり、情報処理ユニット５４のハードディスク５４１ｄには、各測定ユニット５１〜５３の測定モードの設定値を格納する領域が設けられており、上記のような操作入力を情報処理ユニット５４が受け付けると、ハードディスク５４１ｄの測定ユニット５２の測定モードの設定値を格納する領域に、通常検体測定モードを示す設定値が格納され、これによって測定ユニット５２が通常検体測定モードに設定される。ボタンＢ３２５が選択された後は、測定モード切替画面Ｐ３２０は非表示とされる。また、ラジオボタンＰ３２１〜Ｐ３２３の１つが選択された状態で、ボタンＢ３２６が選択される操作がユーザにより行われると、ラジオボタンＰ３２１〜Ｐ３２３の１つが選択された入力情報が破棄され、測定モード切替画面Ｐ３２０が非表示とされる。
【０１４２】
このような測定モード切替画面Ｐ３２０は、選択されたボタンＢ３２が設けられている測定ユニット操作部Ｍ２の直上のメイン領域Ａ２内の位置に表示される。即ち、測定ユニット操作部Ｍ２に対して、測定ユニット操作部Ｍ１〜Ｍ３の並設方向と直交する方向である上方向の位置に、測定モード切替画面Ｐ３２０は表示される。また、エラー対処画面３１０の場合と同様に、測定モード切替画面Ｐ３２０の横幅は、測定ユニット操作部Ｍ２の横幅と同じであり、測定モード画面Ｐ３１の両側端の位置は、測定ユニット操作部Ｍ２の両側端の位置と合わせられている。つまり、図１４に示すように、測定ユニット操作部Ｍ３及びＭ２は互いに隣接して設けられているため、測定ユニット操作部Ｍ３に対応するエラー対処画面Ｐ３１０と、測定ユニット操作部Ｍ２に対応する測定モード切替画面Ｐ３２０は互いに隣接して表示され、互いに重なり合うことがない。これにより、図１４におけるエラー対処画面Ｐ３１０及び測定モード切替画面Ｐ３２０のように、隣接する測定ユニット操作部のそれぞれに対応して２以上の操作画面が表示された場合には、これらの操作画面が互いに重なり合うことがなく、オペレータは各操作画面に対して容易に操作を行うことができる。
【０１４３】
以上に詳述した如く、本実施の形態に係る検体処理システム１においては、メイン領域Ａ２と、各測定ユニット５１〜５３に各別に対応した３つの測定ユニット操作部Ｍ１〜Ｍ３を含む操作領域Ａ３とを情報処理ユニット５４の表示画面中に設けたため、オペレータは、測定結果詳細画面、測定オーダの登録画面等をメイン領域Ａ２に表示させながら、各測定ユニット５１〜５３に関する操作を行うことができる。このため、オペレータは簡便に各測定ユニット５１の操作を行うことができる。
【０１４４】
また、本実施形態では、メイン領域Ａ２の表示を切り替えても、測定ユニット操作部Ｍ１〜Ｍ３が継続して表示されるため、オペレータはいつでも即座に測定ユニット操作部Ｍ１〜Ｍ３を利用して測定ユニット５１〜５３の動作指示又は設定を実行することができる。このため、オペレータは簡便に各測定ユニット５１の操作を行うことができる。
【０１４５】
（その他の実施の形態）
なお、上述した実施の形態においては、血球分析装置５及び塗抹標本作成装置６を備える検体処理システム１における情報処理ユニット５４の表示画面について説明したが、これに限定されるものではない。図１５は、他の実施の形態に係る血球分析装置の構成を示す斜視図である。図に示すように、血球分析装置１００は、２つの測定ユニット２０１，２０２と、検体搬送ユニット３００と、情報処理ユニット４００とを備えている。この情報処理ユニット４００の画面において、上述したような画面を表示する構成としてもよい。
【０１４６】
また、上述した実施の形態においては、測定ユニットの操作を行うためのオブジェクトとして、測定ユニット操作部Ｍ１，Ｍ２，Ｍ３にボタンＢ３１，Ｂ３２，Ｂ３３，Ｂ３４が設けられているが、上記オブジェクトとして、アイコン、又はプルダウンメニュー若しくはポップアップメニューを表示するためのメニューボタン等が測定ユニット操作部Ｍ１，Ｍ２，Ｍ３に設けられていてもよい。
【０１４７】
また、上述した実施の形態においては、メニュー画面Ｄ１のメイン領域Ａ２に表示されるオブジェクトとしてアイコンが表示されているが、メイン領域Ａ２に表示されるオブジェクトとしてボタン、又はプルダウンメニューを表示するためのメニューボタン等が設けられてもよい。
【０１４８】
また、上述した実施の形態においては、図７に示すように、メイン領域Ａ２に一覧表示される情報として、検体番号、測定日時、測定オーダの受付日時等が示されているが、患者ＩＤ、患者の氏名、担当医等の患者情報をメイン領域Ａ２に一覧表示してもよい。
【０１４９】
また、上述した実施の形態においては、図９に示すように、いずれかの測定ユニットで測定された一の検体の測定結果がメイン領域Ａ２に表示されるが、測定結果ではなく、又は測定結果と共に、当該一の検体を提供した患者の疾患情報（患者が有する可能性のある疾患名、当該疾患に特徴的な測定結果、当該疾患に関する参考文献等）をメイン領域Ａ２に表示する構成としてもよい。
【０１５０】
また、測定ユニット５１，５２，５３が、測定ライン３Ｍ上の検体ラックに保持されたままの検体容器から直接検体を吸引する構成としてもよい。
【０１５１】
また、上述した実施の形態においては、測定ユニット５１，５２においてＣＢＣ，ＤＩＦＦについて検体の測定が可能であるがＲＥＴについて検体の測定はできず、測定ユニット５３においてＣＢＣ，ＤＩＦＦ，ＲＥＴについて検体の測定が可能な構成について述べたが、これに限定されるものではない。例えば、測定ユニット５１，５２，５３の全てが同一の測定項目（ＣＢＣ，ＤＩＦＦ，ＲＥＴ）について検体を測定可能な構成としてもよい。
【０１５２】
また、上述した実施の形態においては、測定ユニット操作部Ｍ１〜Ｍ３のボタンＢ３１〜Ｂ３４が操作されると、測定ユニット操作部Ｍ１〜Ｍ３の上部において、メイン領域Ａ２に表示されているコンテンツを隠すように、選択されたボタンＢ３１〜Ｂ３４に対応する操作画面が表示される構成について述べたが、これに限定されるものではない。表示する操作画面を半透明にし、当該操作画面の後側に重なるメイン領域Ａのコンテンツが操作画面を透過して表示される構成としてもよい。
【０１５３】
また、上述した実施の形態においては、血球分析装置５における情報処理ユニット５４の表示画面について説明したが、これに限定されるものではない。複数の検体処理ユニットを有する他の検体処理装置、例えば、尿中有形成分分析装置、血液凝固測定装置、免疫分析装置、生化学分析装置、塗抹標本作成装置の表示画面において、検体の処理結果を含むコンテンツを表示するメイン領域とは別に、各検体処理ユニットに対応した複数の検体処理ユニット操作部を有する画面を表示させる構成としてもよい。
【０１５４】
また、上述した実施の形態においては、血球分析装置５が３つの測定ユニット５１，５２，５３及び情報処理ユニット５４を備えた構成について述べたが、これに限定されるものではない。測定ユニットは３つ以外の複数でもよい。また、情報処理ユニット５４によって測定ユニット５１，５２，５３の機構の制御を行うのではなく、それぞれの測定ユニットがＣＰＵ及びメモリ等からなる制御部を備え、情報処理ユニット５４から各制御部に各測定ユニット５１〜５３の動作指示を与え、これらの制御部によって各測定ユニットの制御が行われる構成としてもよい。
【産業上の利用可能性】
【０１５５】
本発明の検体処理装置及びコンピュータプログラムは、検体の測定、塗抹標本の作製等の処理を行う検体処理装置及びコンピュータプログラムとして有用である。
【符号の説明】
【０１５６】
１  検体処理システム
２  検体発送装置
２２ｂ  バーコードリーダ
３  検体搬送装置
３ａ，３ｂ，３ｃ、４  検体搬送ユニット
３Ｆ  搬送ライン
３Ｍ  測定ライン
５  血球分析装置
５１，５２，５３  測定ユニット
５１１  検体吸引部
５１２  試料調製部
５１３  検出部
５１６  バーコードリーダ
５４  情報処理ユニット
６  塗抹標本作製装置
７  検体回収装置
８  システム制御装置
９  検査情報管理装置
【図１】
0005606875.tif 000002
【図２】
0005606875.tif 000003
【図３】
0005606875.tif 000004
【図４】
0005606875.tif 000005
【図５】
0005606875.tif 000006
【図６】
0005606875.tif 000007
【図７】
0005606875.tif 000008
【図８】
0005606875.tif 000009
【図９】
0005606875.tif 000010
【図１０】
0005606875.tif 000011
【図１１】
0005606875.tif 000012
【図１２】
0005606875.tif 000013
【図１３】
0005606875.tif 000014
【図１４】
0005606875.tif 000015
【図１５】
0005606875.tif 000016